(57)【要約】      （修正有）【課題】本発明は、普通紙は勿論のこと汎用印刷用紙に対しても、ビーディングが抑制された高品位の記録が可能であり、かつ、インクジェットヘッドへの初期充填性（液室内の濡れ性、泡立ち抑制）及び吐出安定性が良好なインクを提供することを目的とする。【解決手段】ポリエーテル変性シロキサン化合物および脂肪族アルコールアルキレンオキサイド化合物のそれぞれを少なくとも１種ずつ含有するインク組成物であって、該インク組成物中に含まれる前記ポリエーテル変性シロキサン化合物と、前記脂肪族アルコールアルキレンオキサイド化合物との質量基準での比率（ポリエーテル変性シロキサン化合物／脂肪族アルコールアルキレンオキサイド化合物）が、９５／５から５０／５０であるインク組成物。【選択図】図１
2019108518.tif 000002
【特許請求の範囲】
【請求項１】
ポリエーテル変性シロキサン化合物および脂肪族アルコールアルキレンオキサイド化合物のそれぞれを少なくとも１種ずつ含有するインク組成物であって、
該インク組成物中に含まれる前記ポリエーテル変性シロキサン化合物と、前記脂肪族アルコールアルキレンオキサイド化合物との質量基準での比率（ポリエーテル変性シロキサン化合物／脂肪族アルコールアルキレンオキサイド化合物）が、９５／５から５０／５０であるインク組成物。
【請求項２】
前記ポリエーテル変性シロキサン化合物と前記脂肪族アルコールアルキレンオキサイド化合物の合計がインク全体に対して質量基準で０．０１％以上３．０％以下である請求項１に記載のインク組成物。
【請求項３】
前記ポリエーテル変性シロキサン化合物が、下記一般式（Ｉ）で表される化合物から選択される少なくとも１種である請求項１または２に記載のインク組成物。
【化１】
2019108518.tif 000053
ただし、前記一般式（Ｉ）中、ｍは、０〜２３の整数を示し、ｎは、１〜１０の整数を示し、ｋは、０〜７の整数を示す。ａは、１〜２３の整数を示し、ｂは、０〜２３の整数を示す。Ｒは、水素原子又は炭素数１〜４のアルキル基を表す。
【請求項４】
前記一般式（Ｉ）で表される化合物が下記一般式（II）から（Ｖ）で表される化合物である請求項３に記載のインク組成物。
【化２】
2019108518.tif 000054
ただし、前記一般式（II）中、ａは、２〜１７の整数を示す。
【化３】
2019108518.tif 000055
ただし、前記一般式（III）中、ａは、２〜１７の整数を示す。
【化４】
2019108518.tif 000056
ただし、前記一般式（IV）中、ｍは０〜５、ｎは１〜２、およびａは３〜１７の整数を示す。
【化５】
2019108518.tif 000057
ただし、前記一般式（Ｖ）中、ｍ＋ｋは０〜７、ｎは１〜２、およびａは２〜１６の整数を示す。
【請求項５】
前記脂肪族アルコールアルキレンオキサイド化合物が下記一般式（VI）で表される化合物又は下記一般式（VII）で表される化合物から選択される少なくとも１種である請求項１から４のいずれか一項に記載のインク組成物。
【化６】
2019108518.tif 000058
ただし、前記一般式（VI）中、Ｒは炭素数８〜１３のアルキル基を示し、Ｒ1は水素原子又はメチル基を示し、ｎは、２〜１２の整数を示す。
【化７】
2019108518.tif 000059
ただし、上記一般式（VII）中、Ｒ2は炭素数６〜１０の脂肪族炭化水素基、ｎはプロピレンオキサイドの平均付加モル数を表す０〜６の数、ｋはエチレンオキサイドの平均付加モル数を表す０〜８の数であり、かつ、プロピレンオキサイドとエチレンオキサイドが加算されたアルキレンオキサイド数ｎ＋ｋが、３≦ｎ＋ｋ≦１４を満たす数である。
【請求項６】
前記ポリエーテル変性シロキサン化合物と、前記脂肪族アルコールアルキレンオキサイド化合物との質量基準での比率（ポリエーテル変性シロキサン化合物／脂肪族アルコールアルキレンオキサイド化合物）が、９０／１５から７５／３０である請求項１から５のいずれか一項に記載のインク組成物。
【請求項７】
イエローインク組成物、マゼンタインク組成物及びシアンインク組成物を含むインクセットであって、前記の各インク組成物が請求項１に記載されたインク組成物であるインクセット。
【請求項８】
更にブラックインク組成物を含み、該ブラックインク組成物が請求項１に記載されたインク組成物である請求項７に記載のインクセット。
【請求項９】
請求項１から６のいずれかに一項に記載のインク組成物を容器中に収容してなるインク容器。
【請求項１０】
記録用メディアに対して、請求項１から６のいずれか一項に記載のインク組成物を付与する付与工程を含む画像形成方法。
【請求項１１】
請求項１から６のいずれか一項に記載のインク組成物と、
記録用メディアに対して、前記インク組成物を付与する付与手段と、を有する画像形成装置。
【請求項１２】
印刷層を有する記録物であって、前記印刷層が、ポリエーテル変性シロキサン化合物および脂肪族アルコールアルキレンオキサイド化合物のそれぞれを少なくとも１種ずつ含有し、前記印刷層中における前記ポリエーテル変性シロキサン化合物と、前記脂肪族アルコールアルキレンオキサイド化合物との質量基準での含有量の比率（ポリエーテル変性シロキサン化合物／脂肪族アルコールアルキレンオキサイド化合物）が、９５／５から５０／５０である記録物。
【発明の詳細な説明】
【技術分野】
【０００１】
本発明は、インク組成物、インクセット、インク容器、画像形成方法、画像形成装置及び記録物に関する。
【背景技術】
【０００２】
近年、インクジェットによる画像形成方法は、容易にカラー画像の記録が可能であり、しかもランニングコストが低いなどの理由から、急速に普及してきている。
前記画像形成方法で用いられるインクについては、顔料を微粒子状にして水に分散させた水性顔料インクが注目されている。前記顔料は一般的な商業印刷インクに用いられる色材と組成が近いこともあり、印刷物の風合いを商業印刷に近づけられることが期待される。しかし、前記水性顔料インクを用いて商業印刷用又は出版印刷用コート紙に記録すると、インクの吸収が間に合わずビーディングが発生するという問題がある。
【０００３】
そこで、本出願人は、先に、水、水溶性有機溶剤、界面活性剤及び色材を含有するインクジェット記録用インクについて提案している（特許文献１及び２参照）。前記水溶性有機溶剤としては、温度２３℃、相対湿度８０％における平衡水分量が３０質量％以上である多価アルコール及び所定のアミド化合物などが用いられている。また、前記界面活性剤としては、シリコーン系界面活性剤、フッ素系界面活性剤、及びアセチレングリコール系界面活性剤から選択される少なくとも１種が用いられている。
また、インクの消泡性を高めるために、消泡剤を用いることが提案されている（特許文献３参照）。
【発明の概要】
【発明が解決しようとする課題】
【０００４】
本発明は、ビーディングが抑制された記録が可能であり、かつ、吐出安定性が良好なインク組成物を提供することを目的とする。
【課題を解決するための手段】
【０００５】
前記課題を解決するための手段としての本発明のインク組成物は、ポリエーテル変性シロキサン化合物および脂肪族アルコールアルキレンオキサイド化合物のそれぞれを少なくとも１種ずつ含有し、前記ポリエーテル変性シロキサン化合物と、前記脂肪族アルコールアルキレンオキサイド化合物と、の質量基準での比率（ポリエーテル変性シロキサン化合物／脂肪族アルコールアルキレンオキサイド化合物）が、９５／５から５０／５０であるインク組成物である。
【発明の効果】
【０００６】
本発明によると、ビーディングが抑制された記録が可能であり、かつ、吐出安定性が良好なインク組成物を提供することができる。
【図面の簡単な説明】
【０００７】
【図１】本発明に係るインクカートリッジの一例を示す概略図である。
【図２】図１のインクカートリッジのケース（外装）も含めた概略図である。
【図３】本発明に係る画像形成装置の一例を示す斜視図である。
【図４】本発明に係る画像形成装置の全体の構成の一例を示す断面図である。
【図５】インク組成物を付与する付与手段の一例を示す概略図である。
【発明を実施するための形態】
【０００８】
本発明の態様は、例えば、以下の通りである。
（１）ポリエーテル変性シロキサン化合物および脂肪族アルコールアルキレンオキサイド化合物のそれぞれを少なくとも１種ずつ含有するインク組成物であって、
該インク組成物中に含まれる前記ポリエーテル変性シロキサン化合物と、前記脂肪族アルコールアルキレンオキサイド化合物との質量基準での比率（ポリエーテル変性シロキサン化合物／脂肪族アルコールアルキレンオキサイド化合物）が、９５／５から５０／５０であるインク組成物。
（２）前記ポリエーテル変性シロキサン化合物と前記脂肪族アルコールアルキレンオキサイド化合物の合計がインク全体に対して質量基準で０．０１％以上３．０％以下である上記（１）に記載のインク組成物。
（３）前記ポリエーテル変性シロキサン化合物が、下記一般式（Ｉ）で表される化合物から選択される少なくとも１種である上記（１）または（２）に記載のインク組成物。
【化１】
2019108518.tif 000003
ただし、前記一般式（Ｉ）中、ｍは、０〜２３の整数を示し、ｎは、１〜１０の整数を示し、ｋは、０〜７の整数を示す。ａは、１〜２３の整数を示し、ｂは、０〜２３の整数を示す。Ｒは、水素原子又は炭素数１〜４のアルキル基を表す。
（４）前記一般式（Ｉ）で表される化合物が下記一般式（II）から（Ｖ）で表される化合物である上記（３）に記載のインク組成物。
【化２】
2019108518.tif 000004
ただし、前記一般式（II）中、ａは、２〜１７の整数を示す。
【化３】
2019108518.tif 000005
ただし、前記一般式（III）中、ａは、２〜１７の整数を示す。
【化４】
2019108518.tif 000006
ただし、前記一般式（IV）中、ｍは０〜５、ｎは１〜２、およびａは３〜１７の整数を示す。
【化５】
2019108518.tif 000007
ただし、前記一般式（Ｖ）中、ｍ＋ｋは０〜７、ｎは１〜２、およびａは２〜１６の整数を示す。
（５）前記脂肪族アルコールアルキレンオキサイド化合物が下記一般式（VI）で表される化合物又は下記一般式（VII）で表される化合物から選択される少なくとも１種である上記（１）から（４）のいずれか一項に記載のインク組成物。
【化６】
2019108518.tif 000008
ただし、前記一般式（VI）中、Ｒは炭素数８〜１３のアルキル基を示し、Ｒ1は水素原子又はメチル基を示し、ｎは、２〜１２の整数を示す。
【化７】
2019108518.tif 000009
ただし、上記一般式（VII）中、Ｒ2は炭素数６〜１０の脂肪族炭化水素基、ｎはプロピレンオキサイドの平均付加モル数を表す０〜６の数、ｋはエチレンオキサイドの平均付加モル数を表す０〜８の数であり、かつ、プロピレンオキサイドとエチレンオキサイドが加算されたアルキレンオキサイド数ｎ＋ｋが、３≦ｎ＋ｋ≦１４を満たす数である。
（６）前記ポリエーテル変性シロキサン化合物と、前記脂肪族アルコールアルキレンオキサイド化合物との質量基準での比率（ポリエーテル変性シロキサン化合物／脂肪族アルコールアルキレンオキサイド化合物）が、９０／１５から７５／３０である上記（１）から（５）のいずれか一項に記載のインク組成物。
（７）イエローインク組成物、マゼンタインク組成物及びシアンインク組成物を含むインクセットであって、前記の各インク組成物が上記（１）に記載されたインク組成物であるインクセット。
（８）更にブラックインク組成物を含み、該ブラックインク組成物が上記（１）に記載されたインク組成物である上記（７）に記載のインクセット。
（９）上記（１）から（６）のいずれかに一項に記載のインク組成物を容器中に収容してなるインク容器。
（１０）記録用メディアに対して、上記（１）から（６）のいずれか一項に記載のインク組成物を付与する付与工程を含む画像形成方法。
（１１）上記（１）から（６）のいずれか一項に記載のインク組成物と、
記録用メディアに対して、前記インク組成物を付与する付与手段と、を有する画像形成装置。
（１２）印刷層を有する記録物であって、前記印刷層が、ポリエーテル変性シロキサン化合物および脂肪族アルコールアルキレンオキサイド化合物のそれぞれを少なくとも１種ずつ含有し、前記印刷層中における前記ポリエーテル変性シロキサン化合物と、前記脂肪族アルコールアルキレンオキサイド化合物との質量基準での含有量の比率（ポリエーテル変性シロキサン化合物／脂肪族アルコールアルキレンオキサイド化合物）が、９５／５から５０／５０である記録物。
【０００９】
前記（１）から（６）のいずれかに記載のインク組成物、前記（７）に記載のインク容器、前記（８）、（９）に記載のインクセット、前記（１０）に記載の画像形成方法、前記（１１）に記載の画像形成装置及び前記（１２）に記載記録物は以下の目的を達成することができる。即ち、前記インク組成物、前記インク容器、前記画像形成方法、前記画像形成装置は、普通紙は勿論のこと汎用印刷用紙に対して、ビーディングが抑制された良好な品位の記録が可能であり、かつ吐出安定性が良好なインク組成物が提供され、また、前記（１２）に記載の良好な品質の記録物を提供することができる。
特に、インクジェットヘッド内の濡れ性が良好になると共に、インク充填時に殆ど泡が立たないことから、気泡によるノズル抜けが解消されるインク組成物を提供することができる。
【００１０】
前記インク組成物（以下インクとも称す）の２５℃、最大泡圧法による表面寿命１５ｍｓｅｃでの動的表面張力は３８ｍＮ／ｍ以下が好ましく、さらに好ましくは３５ｍＮ／ｍ以下が好ましい。前記動的表面張力が３８ｍＮ／ｍ以下にすることにより、普通紙での発色性及び白ポチの発生も改善され、３５ｍＮ／ｍ以下にすることにより、汎用印刷用紙での濡れ性及び浸透性が良好となり、ビーディング及びカラーブリードの低減にも効果が高くなる。
前記インクの最大泡圧法による表面寿命１５ｍｓｅｃでの動的表面張力は、例えば、ＳＩＴＡ  ＤｙｎｏＴｅｓｔｅｒ（ＳＩＴＡ社製）を用いて、２５℃で測定することができる。
【００１１】
前記インクの２５℃での静的表面張力が２２ｍＮ／ｍが以上好ましく、さらに好ましく２４ｍＮ／ｍ以上が好ましい。静的表面張力を２２ｍＮ／ｍ以上にすることにより、インクジェットヘッドのノズルプレート撥水膜への濡れが抑制され、デキャップ時および連続吐出においてノズル抜けが軽減される。さらに、静的表面張力を２４ｍＮ／ｍ以上にすることにより、インクジェットヘッド初期充填時の泡立ちが軽減され、初期充填性が良好となり、初期吐出安定性も良好となる。前記インクの静的表面張力は、例えば、全自動表面張力計（ＣＢＶＰ−Ｚ、協和界面科学社製）を用いて、２５℃で測定することができる。
前記インクにおける前記動的表面張力と前記静的表面張力とのバランスを最適な範囲に保つことにより、初期充填性が良好となり、デキャップ時および連続吐出においてノズル抜けが発生しない吐出安定性が優れたインクとなる。さらに、普通紙および汎用印刷用紙でも高品質の画像が得られるインクとなる。
【００１２】
＜インク組成物＞
本発明のインク組成物は、ポリエーテル変性シロキサン化合物および脂肪族アルコールアルキレンオキサイド化合物のそれぞれを少なくとも１種ずつ含有し、前記ポリエーテル変性シロキサン化合物と、前記脂肪族アルコールアルキレンオキサイド化合物と、の質量基準での比率（ポリエーテル変性シロキサン化合物／脂肪族アルコールアルキレンオキサイド化合物）が、９５／５から５０／５０である。ポリエーテル変性シロキサン化合物および脂肪族アルコールアルキレンオキサイド化合物を少なくとも各１種類ずつ含有することで、吐出安定性と消泡性を両立させた。この比率であることで、広い面積を埋める画像を連続で印字した際にも吐出不良を防ぐことができる。
また、界面活性剤としてポリエーテル変性シロキサン化合物および脂肪族アルコールアルキレンオキサイド化合物を少なくとも各１種類含有することにより、記録用メディアへの十分なインクの濡れ性を確保することができ、更に汎用印刷用紙等の塗工層を有するインク吸収性の悪いコート紙にもインクが素早く浸透し、紙面へのインク着弾後の乾燥過程で急激に顔料凝集が生じて増粘させることが可能となり、ビーディングを抑制することが可能となる。
前記ポリエーテル変性シロキサン化合物と、前記脂肪族アルコールアルキレンオキサイド化合物と、の質量基準での比率（ポリエーテル変性シロキサン化合物／脂肪族アルコールアルキレンオキサイド化合物）が９５／５から５０／５０の範囲内であれば、普通紙は勿論のこと汎用印刷用紙に対して、ビーディングが抑制された良好な品位の記録が可能であり、かつインクジェットヘッドの初期充填性（液室内の濡れ性、泡立ち抑制）及び吐出安定性が良好なインクとなる。
本発明のインク組成物は、ポリエーテル変性シロキサン化合物および脂肪族アルコールアルキレンオキサイド化合物以外に、有機溶剤、色材、水、およびその他の成分を含有することができる。
【００１３】
＜界面活性剤＞
前記界面活性剤の一つとしては、ポリエーテル変性シロキサン化合物を用いる。特に下記一般式（Ｉ）で表される化合物から選択される少なくとも１種であることが好ましい。
【化１】
2019108518.tif 000010
ただし、前記一般式（Ｉ）中、ｍは、０〜２３の整数を示し、ｎは、１〜１０の整数を示し、ｋは、０〜７の整数を示す。ａは、１〜２３の整数を示し、ｂは、０〜２３の整数を示す。Ｒは、水素原子又は炭素数１〜４のアルキル基を表す。
【００１４】
更に、好ましいのは下記一般式（II）から（Ｖ）で表される化合物である。
【化２】
2019108518.tif 000011
ただし、前記一般式（II）中、ａは、２〜１７の整数を示す。
【００１５】
【化３】
2019108518.tif 000012
ただし、前記一般式（III）中、ａは、２〜１７の整数を示す。
【００１６】
【化４】
2019108518.tif 000013
ただし、前記一般式（IV）中、ｍは０〜５、ｎは１〜２、およびａは３〜１７の整数を示す。
【００１７】
【化５】
2019108518.tif 000014
ただし、前記一般式（Ｖ）中、ｍ＋ｋは０〜７、ｎは１〜２、およびａは２〜１６の整数を示す。
【００１８】
前記ポリエーテル変性シロキサン化合物を界面活性剤として用いることにより、インクヘッドのノズルプレートの撥インク層に濡れ難いインクとなり、インクのノズル付着による吐出不良を防ぎ、吐出安定性が向上する。また、普通紙は勿論のこと汎用印刷用紙に対しても、ビーディングが抑制された高品位の記録が可能となる。
【００１９】
前記一般式（Ｉ）で表される化合物以外のポリエーテル変性シロキサン化合物としては、色材の種類や前記有機溶剤の組合せによって分散安定性を損なわず、動的表面張力が低く、浸透性、及びレベリング性の点から、下記一般式（VIII）から（Ｘ）で表される化合物が挙げられる。
【００２０】
【化８】
2019108518.tif 000015
ただし、前記一般式（VIII）中、ｍは、１〜８の整数を示し、ｃ及びｄは、１〜１０の整数を示す。Ｒ2及びＲ3は、水素原子又は炭素数１〜４のアルキル基を表す。
【００２１】
【化９】
2019108518.tif 000016
ただし、前記一般式（IX）中、ｅは、１〜８の整数を示し、Ｒ4は、水素原子又は炭素数１〜４のアルキル基を表す。
【００２２】
【化１０】
2019108518.tif 000017
ただし、前記一般式（Ｘ）中、ｆは、１〜８の整数を示す。Ｒ5は、下記一般式（XI）で表されるポリエーテル基を表す。
【００２３】
【化１１】
2019108518.tif 000018
ただし、前記一般式（XI）中、ｇは、０〜２３の整数を示し、ｈは、０〜２３の整数を示し、ｇ及びｈが同時に０となることはない。Ｒ6は、水素原子又は炭素数１〜４のアルキル基を表す。
【００２４】
前記一般式（Ｉ）で示されるポリエーテル変性シロキサン化合物としては、例えば、下記構造式（XII）から（XIX）で表される化合物などが挙げられるが、これらに限定されるものではない。
【００２５】
【化１２】
2019108518.tif 000019
【００２６】
【化１３】
2019108518.tif 000020
【００２７】
【化１４】
2019108518.tif 000021
【００２８】
【化１５】
2019108518.tif 000022
【００２９】
【化１６】
2019108518.tif 000023
【００３０】
【化１７】
2019108518.tif 000024
【００３１】
【化１８】
2019108518.tif 000025
【００３２】
【化１９】
2019108518.tif 000026
【００３３】
前記ポリエーテル変性シロキサン化合物としては、適宜合成したものを使用してもよいし、市販品を使用してもよい。
前記ポリエーテル変性シロキサン化合物の合成方法としては、特に制限はなく、目的に応じて適宜選択することができ、例えば、特許第５１０１５９８号公報、特許第５０３２３２５号公報、特許第５６６１２２９号公報などの記載を参照することができる。
具体的には、（Ａ）ポリエーテルと、（Ｂ）オルガノハイドロジェンシロキサンとを、ヒドロシリル化反応させることにより合成することができる。
【００３４】
前記（Ａ）成分のポリエーテルは、−(ＣｎＨ2ｎＯ)−（式中、ｎは２〜４である。）によって表されるポリオキシアルキレンコポリマーを示す。
前記ポリオキシアルキレンコポリマー単位は、好ましくは、オキシエチレン単位−(Ｃ2Ｈ4Ｏ)−、オキシプロピレン単位−(Ｃ3Ｈ6Ｏ)−、オキシブチレン単位−(Ｃ4Ｈ8Ｏ)−、又はそれらの混合単位を含むことができる。前記オキシアルキレン単位は、どのようなやり方で配置されていてもよく、ブロック又はランダムコポリマー構造のいずれかを形成できるが、好ましくはランダムコポリマー基を形成する。より好ましくは前記ポリオキシアルキレンは、オキシエチレン単位（Ｃ2Ｈ4Ｏ）及びオキシプロピレン単位（Ｃ3Ｈ6Ｏ）の両方をランダムコポリマー中に含む。
【００３５】
前記（Ｂ）成分のオルガノハイドロジェンシロキサンは、１分子当たり少なくとも１つの、ケイ素に結合した水素（ＳｉＨ）を含むオルガノポリシロキサンである。前記オルガノポリシロキサンとしては、例えば、（Ｒ3ＳｉＯ0.5）、（Ｒ2ＳｉＯ）、（ＲＳｉＯ1.5）、（ＳｉＯ2）（ただし、式中、Ｒは独立して有機基又は炭化水素基である）のシロキシ単位の任意の数あるいは組み合わせなどが挙げられる。
前記オルガノポリシロキサンの（Ｒ3ＳｉＯ0.5）、（Ｒ2ＳｉＯ）、（ＲＳｉＯ1.5）のＲがメチル基である場合は、前記シロキシ単位は、それぞれＭ、Ｄ、及びＴ単位として示され、一方、（ＳｉＯ2）シロキシ単位はＱ単位として示される。
前記オルガノハイドロジェンシロキサンは類似した構造をもっているが、シロキシ単位上に存在する少なくとも１つのＳｉＨを有する。
前記オルガノハイドロジェンシロキサン中のメチル系シロキシ単位は、「ＭＨ」シロキシ単位（Ｒ2ＨＳｉＯ0.5）、「ＤＨ」シロキシ単位（ＲＨＳｉＯ）、「ＴＨ」シロキシ単位（ＨＳｉＯ1.5）を含むものとして表すことができる。
前記オルガノハイドロジェンシロキサンは、少なくとも１つのシロキシ単位がＳｉＨを含むことを条件として、任意の数のＭ、ＭＨ、Ｄ、ＤＨ、Ｔ、ＴＨ、又はＱシロキシ単位を含むことができる。
【００３６】
前記（Ａ）成分及び前記（Ｂ）成分は、ヒドロシリル化反応によって反応させる。前記ヒドロシリル化反応は、特に制限はなく、目的に応じて適宜選択することができるが、ヒドロシリル化触媒を添加して行うことが好ましい。
前記ヒドロシリル化触媒としては、特に制限はなく、目的に応じて適宜選択することができ、例えば、白金、ロジウム、ルテニウム、パラジウム、オスミウム、もしくはイリジウム金属、又はそれらの有機金属化合物、あるいはそれらの組み合わせなどが挙げられる。
前記ヒドロシリル化触媒の含有量は、前記（Ａ）成分及び前記（Ｂ）成分の質量を基準にして、０．１ｐｐｍ以上１，０００ｐｐｍ以下が好ましく、１ｐｐｍ以上１００ｐｐｍ以下がより好ましい。
【００３７】
前記ヒドロシリル化反応は、希釈なし、あるいは溶媒の存在下で行うことができるが、溶媒の存在下で行うことが好ましい。
【００３８】
前記溶媒としては、例えば、アルコール（例えば、メタノール、エタノール、イソプロパノール、ブタノール、又はｎ−プロパノール）、ケトン（例えば、アセトン、メチルエチルケトン、又はメチルイソブチルケトン）；芳香族炭化水素（例えば、ベンゼン、トルエン、又はキシレン）；脂肪族炭化水素（例えば、ヘプタン、ヘキサン、又はオクタン）；グリコールエーテル（例えば、プロピレングリコールメチルエーテル、ジプロピレングリコールメチルエーテル、プロピレングリコールｎ−ブチルエーテル、プロピレングリコールｎ−プロピルエーテル、又はエチレングリコールｎ−ブチルエーテル）、ハロゲン化炭化水素（例えば、ジクロロメタン、１，１，１−トリクロロエタン、又はメチレンクロライド、クロロホルム）、ジメチルスルホキシド、ジメチルホルムアミド、アセトニトリル、テトラヒドロフラン、揮発油、ミネラルスピリット、又はナフサなどが挙げられる。これらは、１種単独で使用してもよいし、２種以上を併用してもよい。
【００３９】
前記ヒドロシリル化反応に用いられる前記（Ａ）成分及び前記（Ｂ）成分の量は、特に制限はなく、目的に応じて適宜調整することができ、前記（Ａ）成分中の全不飽和基と、前記（Ｂ）成分のＳｉＨ含有量とのモル比で表される。前記オルガノハイドロジェンシロキサンのＳｉＨモル量に対して、２０モル％以下のポリエーテル不飽和基量を用いて行うことが好ましく、１０モル％以下のポリエーテル不飽和基量を用いて行うことがより好ましい。
前記ヒドロシリル化反応は、特に制限はなく、公知の任意のバッチ法、半連続法、又は連続法において行うことができ、例えば、プラグフロー反応器を用いた連続法で行うことができる。
【００４０】
前記ポリエーテル変性シロキサン化合物の市販品としては、例えば、７１ＡＤＤＩＴＩＶＥ、７４ＡＤＤＩＴＩＶＥ、５７ＡＤＤＩＴＩＶＥ、８０２９ＡＤＤＩＴＩＶＥ、８０５４ＡＤＤＩＴＩＶＥ、８２１１ＡＤＤＩＴＩＶＥ、８０１９ＡＤＤＩＴＩＶＥ、８５２６ＡＤＤＩＴＩＶＥ、ＦＺ−２１２３、ＦＺ−２１９１（いずれもＴＯＲＡＹ  ダウ・コーニング株式会社製）；ＴＳＦ４４４０、ＴＳＦ４４４１、ＴＳＦ４４４５、ＴＳＦ４４４６、ＴＳＦ４４５０、ＴＳＦ４４５２、ＴＳＦ４４６０（いずれもモメンティブ・パフォーマンス・マテリアルズ社製）；シルフェイスＳＡＧ００２、シルフェイスＳＡＧ００３、シルフェイスＳＡＧ００５、シルフェイスＳＡＧ５０３Ａ、シルフェイスＳＡＧ００８、シルフェイスＳＪＭ００３（いずれも日信化学工業株式会社製）；ＴＥＧＯ  Ｗｅｔ  ＫＬ２４５、ＴＥＧＯ  Ｗｅｔ  ２５０、ＴＥＧＯ  Ｗｅｔ  ２６０、ＴＥＧＯ  Ｗｅｔ  ２６５、ＴＥＧＯ  Ｗｅｔ  ２７０、ＴＥＧＯ  Ｗｅｔ  ２８０（いずれもエボニック社製）；ＢＹＫ−３４５，ＢＹＫ−３４７，ＢＹＫ−３４８，ＢＹＫ−３７５，ＢＹＫ−３７７（いずれもビックケミー・ジャパン社製）などが挙げられる。これらは、１種単独で使用してもよいし、２種以上を併用してもよい。
これらの中でも、ＴＥＧＯ  Ｗｅｔ  ２７０（エボニック社製）、シルフェイスＳＡＧ５０３Ａ（日信化学工業株式会社製）が好ましい。
【００４１】
もう一方の前記界面活性剤としては、前記脂肪族アルコールアルキレンオキサイド化合物が下記一般式（VI）で表される化合物又は下記一般式（VII）で表される化合物から選択される少なくとも１種であることが好ましい。
【化６】
2019108518.tif 000027
ただし、前記一般式（VI）中、Ｒは炭素数８〜１３のアルキル基を示し、Ｒ1は水素原子又はメチル基を示し、ｎは、２〜１２の整数を示す。
【化７】
2019108518.tif 000028
ただし、上記一般式（VII）中、Ｒ2は炭素数６〜１０の脂肪族炭化水素基、ｎはプロピレンオキサイドの平均付加モル数を表す０〜６の数、ｋはエチレンオキサイドの平均付加モル数を表す０〜８の数であり、かつ、プロピレンオキサイドとエチレンオキサイドが加算されたアルキレンオキサイド数ｎ＋ｋが、３≦ｎ＋ｋ≦１４を満たす数である。
【００４２】
前記脂肪族アルコールアルキレンオキサイド化合物を界面活性剤として用いることにより、インクヘッドのノズルプレートの撥インク層に濡れ難いインクとなり、インクのノズル付着による吐出不良を防ぎ、吐出安定性が向上する。さらに、インクジェットヘッドへの初期充填が良好となり、初期充填時の吐出安定性が良好なインクを提供することができる。
前記一般式（VI）で表される脂肪族アルコールアルキレンオキサイド化合物の市販品としては、例えば、Ｎｅｗｃｏｌ ＮＴ−３、Ｎｅｗｃｏｌ ＮＴ−５、Ｎｅｗｃｏｌ １３１０（いずれも日本乳化剤社製）、ノイゲンＸＬ−４０、ノイゲンＸＬ−４１、ノイゲンＸＬ−５０、ノイゲンＬＦ−４０Ｘ、ノイゲンＬＦ−４１Ｘ、ノイゲンＬＦ−４２Ｘ、ノイゲンＬＦ−６０Ｘ、ノイゲンＴＤＳ−５０、ノイゲンＴＤＳ−７０、ノイゲンＴＤＸ−５０、ノイゲンＳＤ−３０、ＤＫＳ  ＮＬ−３０、ＤＫＳ  ＮＬ−４０、ノイゲンＥＴ−６５、ＤＫＳ ＮＬ−Ｄａｓｈ４０３、ＤＫＳ ＮＬ−Ｄａｓｈ４０４、ノイゲンＬＰ−５５、ノイゲンＥＴ−１０６Ａ、ノイゲンＥＴ−６９、ノイゲンＥＴ−８９（いずれも第一工業製薬社製）が挙げられる。
【００４３】
次に前記一般式（VII）で表される脂肪族アルコールアルキレンオキサイド化合物について述べる。
前記一般式（VII）で表される化合物の合成例を以下に示す。
【００４４】
＜合成例１＞
［２−エチル−１−ヘキサノールのＥＯ４モル付加物（Ａ−１）の合成］
撹拌機、加熱冷却装置及び滴下ボンベを備えた耐圧反応容器に、２−エチル−１−ヘキサノール１３０部（１モル部）、及び過塩素酸アルミニウム九水和物１部（０．００２モル部）を投入し、窒素置換後密閉し、７０℃に昇温し、１時間減圧下で脱水を行った。８０℃に昇温し、ＥＯ８８部（２モル部）を圧力が０．２ＭＰaＧ以下になるように調整しながら１０時間かけて滴下した後、９５℃で５時間熟成した。次いで７０℃に冷却後、吸着処理剤（キョーワード６００：協和化学工業（株）製）１０部を投入し、７０℃で１時間撹拌して処理した後、吸着処理剤をろ過して２−エチル−１−ヘキサノールのＥＯ２モル付加物（ａ−１）を得た。得られた（ａ−１）に水酸化カリウム０．１部を追加後、７０℃に昇温し、１時間減圧下で脱水を行った。１４０℃に昇温し、ＥＯ８８部（２モル部）を圧力が０．５ＭＰaＧ以下になるように調整しながら３時間かけて滴下した後、１４０℃で２時間熟成した。次いで７０℃に冷却後、吸着処理剤（キョーワード６００：協和化学工業（株）製）１０部を投入し、７０℃で１時間撹拌して処理した後、吸着処理剤をろ過して２−エチル−１−ヘキサノールのＥＯ４モル付加物（Ａ−１）を得た。｛（Ａ−１）は、一般式（VII）におけるＲ2は２−エチル−１−ヘキシル基、アルキレンオキサイドｍは４である化合物｝。
なお、未反応のアルコール量の測定はガスクロマトグラフィーを用い、以下の条件で測定した。
機種：ガスクロマトグラフ ＧＣ−１４Ｂ（島津製作所製）
検出器：ＦＩＤカラム：ガラスカラム（内径＝約３ｍｍ，長さ＝約２ｍ）
カラム充填剤：シリコンＧＥ ＳＥ−３０ ５％
カラム温度：９０℃から２８０℃まで昇温
昇温速度＝４℃／分
キャリアガス：窒素
試料：５０％アセトン溶液
注入量：１μｌ
定量：使用したアルコールより、炭素数が２または３少ないアルコールを内部標準物質として用い定量した。
【００４５】
＜合成例２＞［２−エチル−１−ヘキサノールのＥＯ６モル付加物（Ａ−２）の合成］
撹拌機、加熱冷却装置及び滴下ボンベを備えた耐圧反応容器に、２−エチル−１−ヘキサノール１３０部（１モル部）、及び過塩素酸アルミニウム九水和物１部（０．００２モル部）を投入し、７０℃に昇温し、１時間減圧下で脱水を行った。８０℃に昇温し、ＥＯ８８部（２モル部）を圧力が０．２ＭＰaＧ以下になるように調整しながら１０時間かけて滴下した後、９５℃で５時間熟成した。次いで７０℃に冷却後、吸着処理剤（キョーワード６００：協和化学工業（株）製）１０部を投入し、７０℃で１時間撹拌して処理した後、吸着処理剤をろ過して２−エチル−１−ヘキサノールのＥＯ２モル付加物（ａ−２）を得た。得られた（ａ−２）に水酸化カリウム０．２部を追加後、窒素置換後密閉し、７０℃に昇温し、１時間減圧下で脱水を行った。１４０℃に昇温し、ＥＯ１７６部（４モル部）を圧力が０．５ＭＰaＧ以下になるように調整しながら５時間かけて滴下した後、１４０℃で２時間熟成した。次いで７０℃に冷却後、吸着処理剤（キョーワード６００：協和化学工業（株）製）１０部を投入し、７０℃で１時間撹拌して処理した後、吸着処理剤をろ過して２−エチル−１−ヘキサノールのＥＯ６モル付加物（Ａ−２）を得た。｛（Ａ−２）は、一般式（VII）におけるＲ2は２−エチル−１−ヘキシル基、アルキレンオキサイドｍは６である化合物｝。
【００４６】
＜合成例３＞［３，５，５−トリメチル−１−ヘキサノールのＥＯ４モル付加物（Ａ−３）の合成］
２−エチル−１−ヘキサノール１３０部（１モル部）を３，５，５−トリメチル−１−ヘキサノール１４４部（１モル部）に変更した以外は合成例１と同様にして、３，５，５−トリメチル−１−ヘキサノールのＥＯ４モル付加物（Ａ−３）を得た｛（Ａ−３）は、一般式（VII）におけるＲ2は３，５，５−トリメチル−１−ヘキシル基、アルキレンオキサイドｍは４である化合物｝。
【００４７】
＜合成例４＞［３，５，５−トリメチル−１−ヘキサノールのＥＯ６モル付加物（Ａ−４）の合成］
２−エチル−１−ヘキサノール１３０部（１モル部）を３，５，５−トリメチル−１−ヘキサノール１４４部（１モル部）に変更した以外は合成例２と同様にして、３，５，５−トリメチル−１−ヘキサノールのＥＯ６モル付加物（Ａ−４）を得た｛（Ａ−４）は、一般式（VII）におけるＲ2は３，５，５−トリメチル−１−ヘキシル基、アルキレンオキサイドｍは６である化合物｝。
【００４８】
＜合成例５＞［デカノールのＥＯ５モル付加物（Ａ−５）の合成］
２−エチル−１−ヘキサノール１３０部（１モル部）を「デカノール」[ＫＨネオケム（株）製]１５８部（１モル部）、ＥＯ１７６部を１３２部（３モル部）に変更した以外は合成例２と同様にして、デカノールのＥＯ５モル付加物（Ａ−５）を得た｛（Ａ−５）は、一般式（VII）におけるＲ2はデシル基、アルキレンオキサイドｍは５である化合物｝。
【００４９】
＜合成例６＞［デカノールのＥＯ２モル（ＥＯ５モル／ＰＯ１モル）ランダム付加物（Ａ−６）の合成］
撹拌機、加熱冷却装置及び滴下ボンベを備えた耐圧反応容器に、デカノール［ＫＨネオケム（株）製］１５８部（１モル部）、及び過塩素酸マグネシウム六水和物１部（０．００４モル部）を投入し、８０℃に昇温し、１時間減圧下で脱水を行った。９５℃に昇温し、ＥＯ８８部（２モル部）を圧力が０．２ＭＰaＧ以下になるように調整しながら１０時間かけて滴下した後、９５℃で５時間熟成した。次いで７０℃に冷却後、吸着処理剤［キョーワード６００：協和化学工業（株）製］１０部を投入し、７０℃で１時間撹拌して処理した後、吸着処理剤をろ過してデカノールのＥＯ２モル付加物（ａ−６）を得た。得られた（ａ−６）に水酸化カリウム０．５部を追加後、９５℃に昇温し、１時間減圧下で脱水を行った。１４０℃に昇温し、ＥＯ２２０部（５モル部）とＰＯ５８部（１モル部）混合したものを圧力が０．５ＭＰaＧ以下になるように調整しながら５時間かけて滴下した後、１４０℃で２時間熟成した。次いで７０℃に冷却後、吸着処理剤［キョーワード６００：協和化学工業（株）製］１０部を投入し、７０℃で１時間撹拌して処理した後、吸着処理剤をろ過してデカノールのＥＯ２モル（ＥＯ５モル／ＰＯ１モル）ランダム付加物（Ａ−６）を得た。｛（Ａ−６）は、一般式（VII）におけるＲ2はデシル基、アルキレンオキサイドｍは８である化合物｝。
【００５０】
＜合成例７＞［１−ノナノールのＥＯ６モル付加物（Ａ−７）の合成］
２−エチル−１−ヘキサノール１３０部（１モル部）を１−ノナノール１４４部（１モル部）に変更した以外は合成例２と同様にして、デカノールのＥＯ６モル付加物（Ａ−７）を得た｛（Ａ−７）は、一般式（VII）におけるＲ2はｎ−ノニル基、アルキレンオキサイドｍは６である化合物｝。
【００５１】
＜合成例８＞［３，５，５−トリメチル−１−ヘキサノールのＰＯ４モル付加物（Ａ−８）の合成］
撹拌機、加熱冷却装置及び滴下ボンベを備えた耐圧反応容器に、３，５，５−トリメチル−１−ヘキサノール１４４部（１モル部）、及び水酸化カリウム０．５部（０．００９モル部）を投入し、窒素置換後密閉し、７０℃に昇温し、１時間減圧下で脱水を行った。１３０℃に昇温し、ＰＯ２３２部（４モル部）を圧力が０．２ＭＰaＧ以下になるように調整しながら１０時間かけて滴下した後、１４０℃で５時間熟成した。次いで７０℃に冷却後、吸着処理剤［キョーワード６００：協和化学工業（株）製］１０部を投入し、７０℃で１時間撹拌して処理した後、吸着処理剤をろ過して３，５，５−トリメチル−１−ヘキサノールのＰＯ４モル付加物（Ａ−８）を得た。｛（Ａ−８）は、一般式（VII）におけるＲ2は３，５，５−トリメチル−１−ヘキシル基、アルキレンオキサイドｍは４である化合物｝。
【００５２】
＜合成例９＞［３，５，５−トリメチル−１−ヘキサノールのＰＯ３モルＥＯ２モル付加物（Ａ−９）の合成］
撹拌機、加熱冷却装置及び滴下ボンベを備えた耐圧反応容器に、３，５，５−トリメチル−１−ヘキサノール１４４部（１モル部）、及び水酸化カリウム０．５部（０．００９モル部）を投入し、窒素置換後密閉し、７０℃に昇温し、１時間減圧下で脱水を行った。１３０℃に昇温し、ＰＯ１７４部（３モル部）を圧力が０．２ＭＰaＧ以下になるように調整しながら９時間かけて滴下した後、１４０℃で５時間熟成した。次いでＥＯ８８部（２モル部）を圧力が０．５ＭＰaＧ以下になるように調整しながら５時間かけて滴下した後、１４０℃で２時間熟成した。次いで７０℃に冷却後、吸着処理剤［キョーワード６００：協和化学工業（株）製］１０部を投入し、７０℃で１時間撹拌して処理した後、吸着処理剤をろ過して３，５，５−トリメチル−１−ヘキサノールのＰＯ３モルＥＯ２モル付加物（Ａ−９）を得た。｛（Ａ−９）は、一般式（VII）におけるＲ２は３，５，５−トリメチル−１−ヘキシル基、アルキレンオキサイドｍは５である化合物｝。
【００５３】
本発明では、前記界面活性剤のポリエーテル変性シロキサン化合物と脂肪族アルコールアルキレンオキサイド化合物の質量基準での比率（ポリエーテル変性シロキサン化合物／脂肪族アルコールアルキレンオキサイド化合物）が９５／５から５０／５０の範囲であり、９０／１０から６５／３５の範囲が好ましく、９０／１５から７５／３０の範囲が更に好ましい。
９５／５から５０／５０の範囲内であれば、普通紙は勿論のこと汎用印刷用紙に対して、ビーディングが抑制された良好な品位の記録が可能であり、かつインクジェットヘッドの初期充填性（液室内の濡れ性、泡立ち抑制）及び吐出安定性が良好なインクとなる。
【００５４】
前記界面活性剤としては、前記ポリエーテル変性シロキサン化合物および脂肪族アルコールアルキレンオキサイド化合物以外にも、フッ素系界面活性剤、シリコーン系界面活性剤、アセチレングリコール又はアセチレンアルコール系界面活性剤などを併用してもよい。
【００５５】
前記ポリエーテル変性シロキサン化合物および脂肪族アルコールアルキレンオキサイド化合物の含有量は、合計がインク全量に対して、０．０１質量％以上３．０質量％以下が好ましく、０．１質量％以上１．５質量％以下がより好ましく、０．５質量％以上１．４質量％以下が更に好ましい。前記含有量が０．０１質量％以上３．０質量％以下であると、インクヘッドのノズルプレートの撥インク層に濡れ難いインクとなり、インクのノズル付着による吐出不良を防ぎ、吐出安定性が向上するという効果が得られる。特に塗りつぶしが多い画像を連続して形成するような、連続吐出時間が長い場合に吐出安定性を向上させる効果がある。
【００５６】
＜有機溶剤＞
前記有機溶剤として溶解度パラメーターが８．９６以上１１．７９以下の有機溶剤を少なくとも１種含有することが好ましい。前記溶解度パラメーターが８．９６以上１１．７９以下の有機溶剤を含有することにより、汎用印刷用紙上でもビーディングの発生を抑制することが可能となる。
【００５７】
ここで、前記溶解度パラメーター（ＳＰ値）とは、どれだけ互いが溶けやすいかということを数値化したものをいう。前記ＳＰ値は、互いの分子間の引き合う力、即ち、凝集エネルギー密度ＣＥＤ（Ｃｏｈｅｓｉｖｅ  Ｅｎｅｒｇｙ  Ｄｅｎｓｉｔｙ）の平方根で表される。なお、前記ＣＥＤとは、１ｍＬのものを蒸発させるのに要するエネルギー量である。
前記溶解度パラメーター（ＳＰ値）は、ヒルデブラント（Ｈｉｌｄｅｂｒａｎｄ）によって導入された正則溶液理論により定義され、二成分系溶液の溶解度の目安となる。
前記ＳＰ値の計算方法については諸説あるが、本発明においては一般的に用いられているＦｅｄｏｒｓの方法を用いる。
【００５８】
前記Ｆｅｄｏｒｓ法により下記式（Ｂ）を用いてＳＰ値を計算することができる。
ＳＰ値（溶解パラメータ）＝（ＣＥＤ値）1/2＝（Ｅ／Ｖ）1/2  ・・・式（Ｂ）
前記式（Ｂ）において、Ｅは分子凝集エネルギー（ｃａｌ／ｍｏｌ）、Ｖは分子容（ｃｍ3／ｍｏｌ）であり、原子団の蒸発エネルギーをΔｅｉ、モル体積をΔｖｉとした場合、下記式（Ｃ）、及び式（Ｄ）で示される。
Ｅ＝ΣΔｅｉ・・・式（Ｃ）
Ｖ＝ΣΔｖｉ・・・式（Ｄ）
【００５９】
なお、前記計算方法、各原子団の蒸発エネルギーΔｅｉ及びモル体積Δｖｉの諸データとしては、「接着の基礎理論」（井本稔著、高分子刊行会発行、第５章）に記載のデータを用いることができる。
また、−ＣＦ3基などが示されていないものに関しては、Ｒ．Ｆ．Ｆｅｄｏｒｓ，Ｐｏｌｙｍ．Ｅｎｇ．Ｓｃｉ．１４，１４７（１９７４）を参照することができる。
【００６０】
前記溶解度パラメーター（ＳＰ値）が８．９６以上１１．７９以下の有機溶剤としては、下記一般式（XX）で示されるアミド化合物、及び下記一般式（XXI）で示されるオキセタン化合物から選択される少なくとも１種がより好ましい。
【００６１】
【化２０】
2019108518.tif 000029
ただし、前記一般式（XX）中、Ｒ’は、炭素数４〜６のアルキル基を表す。
【化２１】
2019108518.tif 000030
ただし、前記一般式（XXI）中、Ｒ”は、炭素数１〜２のアルキル基を表す。
【００６２】
前記一般式（XX）で示されるアミド化合物の具体的な例示化合物としては以下の構造式（Ｉ）から（III）で表される化合物が挙げられる。また、前記一般式（XXI）で示されるオキセタン化合物の具体的な例示化合物としては、以下の構造式（IV）、（Ｖ）で表される化合物が挙げられる。
【化２２】
2019108518.tif 000031
【００６３】
【化２３】
2019108518.tif 000032
【００６４】
【化２４】
2019108518.tif 000033
【００６５】
【化２５】
2019108518.tif 000034
【００６６】
【化２６】
2019108518.tif 000035
【００６７】
前記有機溶剤としては、前記一般式（XX）で示されるアミド化合物及び前記一般式（XXI）で示されるオキセタン化合物以外にも、溶解度パラメーター（ＳＰ値）が１１．８以上１４．０以下の多価アルコール、浸透剤を用いることが好ましい。
【００６８】
前記溶解度パラメーター（ＳＰ値）１１．８以上１４．０以下の多価アルコールとしては、例えば、３−メチル−１，３−ブタンジオール（ＳＰ値：１２．０５）、１，２−ブタンジオール（ＳＰ値：１２．８）、１，３−ブタンジオール（ＳＰ値：１２．７５）、１，４−ブタンジオール（ＳＰ値：１２．９５）、２，３−ブタンジオール（ＳＰ値：１２．５５）、１，２−プロパンジオール（ＳＰ値：１３．５）、１，３−プロパンジオール（ＳＰ値：１３．７２）、１，２−ヘキサンジオール（ＳＰ値：１１．８）、１，６−ヘキサンジオール（ＳＰ値：１１．９５）、３−メチル−１，５−ペンタンジオール（ＳＰ値：１１．８）、トリエチレングリコール（ＳＰ値：１２．１２）、ジエチレングリコール（ＳＰ値：１３．０２）などが挙げられる。これらは、１種単独で使用してもよいし、２種以上を併用してもよい。
これらの中でも、３−メチル−１，３−ブタンジオール（ＳＰ値：１２．０５）、１，２−ブタンジオール（ＳＰ値：１２．８）、１，３−ブタンジオール（ＳＰ値：１２．７５）、１，４−ブタンジオール（ＳＰ値：１２．９５）、２，３−ブタンジオール（ＳＰ値：１２．５５）、１，２−プロパンジオール（ＳＰ値：１３．５）、１，３−プロパンジオール（ＳＰ値：１３．７２）が好ましく、１，２−ブタンジオール（ＳＰ値：１２．８）、１，２−プロパンジオール（ＳＰ値：１３．５）がより好ましい。
【００６９】
前記溶解度パラメーター（ＳＰ値）１１．８以上１４．０以下の多価アルコールと前記一般式（XX）で示されるアミド化合物及び一般式（XXI）で示されるオキセタン化合物の合計含有量は、インク全量に対して３０質量％以上６０質量％以下が好ましい。
前記含有量が３０質量％以上であると、汎用印刷用紙上でのビーディングや色間のカラーブリードが抑制できることがあり、６０質量％以下であると、画像品質が良好であり、インク粘度が適正となり吐出安定性が良好となる。
【００７０】
前記浸透剤としては、前記溶解度パラメーターが８．９６以上１１．７９以下であることが好ましく、炭素数８〜１１のポリオール化合物及びグリコールエーテル化合物などが挙げられる。
これらの中でも、下記一般式（XXII）で表される１，３−ジオール化合物が好ましく、具体例としては２−エチル−１，３−ヘキサンジオール［ＳＰ値：１０．６］、２，２，４−トリメチル−１，３−ペンタンジオール［ＳＰ値：１０．８］２−エチル−２−メチル−１，３−プロパンジオール[ＳＰ値：１１．６５]、３，３−ジメチル−１，２−ブタンジオール[ＳＰ値：１１．４９]、２，２−ジエチル−１，３−プロパンジオール[ＳＰ値：１１．３４]、２−メチル−２−プロピル−１，３−プロパンジオール[ＳＰ値：１１．３４]、２，４−ジメチル−２，４−ペンタンジオール[ＳＰ値：１１．０５]、２，５−ジメチル−２，５−ヘキサンジオール[ＳＰ値：１０．８２]、５−ヘキセン−１，２−ジオール[ＳＰ値：１１．８０]を挙げることができる。２−エチル−１，３−ヘキサンジオール［ＳＰ値：１０．６］、２，２，４−トリメチル−１，３−ペンタンジオール［ＳＰ値：１０．８］が特に好ましい。
【００７１】
【化２７】
2019108518.tif 000036
ただし、前記一般式（XXII）中、Ｒ’はメチル基又はエチル基であり、Ｒ”は水素原子又はメチル基であり、Ｒ”’はエチル基又はプロピル基である。
【００７２】
その他のポリオール化合物としては、例えば、２−エチル−２−メチル−１，３−プロパンジオール、３，３−ジメチル−１，２−ブタンジオール、２，２−ジエチル−１，３−プロパンジオール、２−メチル−２−プロピル−１，３−プロパンジオール、２，４−ジメチル−２，４−ペンタンジオール、２，５−ジメチル−２，５−ヘキサンジオール、５−ヘキセン−１，２−ジオールなどが挙げられる。
【００７３】
前記浸透剤の含有量は、インク全量に対して、０．５質量％以上４質量％以下が好ましく、１質量％以上３質量％以下がより好ましい。前記含有量が０．５質量％以上であるとインクの浸透性効果が得られ、画像品質に効果が得られる。一方、前記含有量が４質量％以下であると、インクの初期粘度が適正となる。
【００７４】
前記溶解度パラメーターが８．９６以上１１．７９以下の有機溶剤の含有量は、インク全量に対して、２０質量％以上であり、２０質量％以上６０質量％以下が好ましい。
前記含有量が、２０質量％以上であると、汎用印刷用紙上でのビーディングの発生が抑えられ、色間のカラーブリード抑制効果が向上する。一方、前記含有量が、６０質量％以下であると、画像品質が向上し、インク粘度が適正となり吐出安定性が向上する。
【００７５】
前記有機溶剤として、「温度２３℃、相対湿度８０％における平衡水分量が３０％以上の多価アルコール」を含有しないことが好ましい。
前記平衡水分量は、塩化カリウム／塩化ナトリウム飽和水溶液を用いデシケーター内の温湿度として、温度２３℃±１℃、相対湿度８０％±３％に保ち、このデシケーター内に各有機溶剤を１ｇずつ秤量したシャーレを保管し、下記式から、平衡する水分量を求めたものである。
平衡水分量（％）
＝（有機溶剤に吸収した水分量／有機溶剤＋有機溶剤に吸収した水分量）×１００
前記有機溶剤として、「温度２３℃、相対湿度８０％における平衡水分量が３０％以上の多価アルコール」を含有しないことで、汎用印刷用紙等の塗工層を有する吸インク性の悪いコート紙に対しても、インクの浸透が良好となり、紙面へのインク着弾後の乾燥が良好となって、ビーディングを抑制することができる。
【００７６】
前記「温度２３℃、相対湿度８０％における平衡水分量が３０％以上の多価アルコール」は、特開２０１２−２０７２０２号公報（特許文献１）及び特開２０１４−９４９９８号公報（特許文献２）などで用いられている。
前記「温度２３℃、相対湿度８０％における平衡水分量が３０％以上の多価アルコール」としては、例えば、１，２，３−ブタントリオール（平衡水分量：３８％）、１，２，４−ブタントリオール（平衡水分量：４１％）、グリセリン（平衡水分量：４９％、ＳＰ値１６．３８）、ジグリセリン（平衡水分量：３８％）、トリエチレングリコール（平衡水分量：３９％、ＳＰ値１５．４）、テトラエチレングリコール（平衡水分量：３７％）、ジエチレングリコール（平衡水分量：４３％）、１，３−ブタンジオール（平衡水分量：３５％）などが挙げられる。
【００７７】
＜色材＞
前記色材として水分散性顔料を用いることが好ましい。なお、色調調整の目的で染料を併用しても構わないが、耐候性を劣化させない範囲内で使用することが望ましい。
前記水分散性顔料における顔料としては、有機顔料と無機顔料とがある。
前記無機顔料としては、例えば、酸化チタン、酸化鉄、炭酸カルシウム、硫酸バリウム、水酸化アルミニウム、バリウムイエロー、カドミウムレッド、クロムイエロー、カーボンブラックなどが挙げられる。これらの中でも、カーボンブラックが好ましい。
【００７８】
前記カーボンブラック（Ｐｉｇｍｅｎｔ  Ｂｌａｃｋ  ７）は、コンタクト法、ファーネス法、サーマル法などの公知の方法によって製造されたものがあり、チャンネルブラック、ファーネスブラック、ガスブラック、ランプブラックなどが挙げられる。
前記カーボンブラックの市販品としては、例えば、Ｒｅｇａｌ（登録商標）、Ｂｌａｃｋ  Ｐｅａｒｌｓ（登録商標）、Ｅｌｆｔｅｘ（登録商標）、Ｍｏｎａｒｃｈ（登録商標）、Ｒｅｇａｌ（登録商標）、Ｍｏｇｕｌ（登録商標）及びＶｕｌｃａｎ（登録商標）の商標でＣａｂｏｔ  Ｃｏｒｐｏｒａｔｉｏｎから入手し得るカーボンブラック（例えば、Ｂｌａｃｋ  Ｐｅａｒｌｓ  ２０００、同１４００、同１３００、同１１００、同１０００、同９００、同８８０、同８００、同７００、同５７０、Ｂｌａｃｋ  Ｐｅａｒｌｓ  Ｌ、Ｅｌｆｔｅｘ  ８、Ｍｏｎａｒｃｈ  １４００、同１３００、同１１００、同１０００、同９００、同８８０、同８００、同７００、Ｍｏｇｕｌ  Ｌ、Ｒｅｇａｌ  ３３０、同４００、同６６０、Ｖｕｌｃａｎ  Ｐ）；ＳＥＮＳＩＪＥＴ  Ｂｌａｃｋ  ＳＤＰ１００（ＳＥＮＳＩＥＮＴ社製）、ＳＥＮＳＩＪＥＴ  Ｂｌａｃｋ  ＳＤＰ１０００（ＳＥＮＳＩＥＮＴ社製）、ＳＥＮＳＩＪＥＴ  Ｂｌａｃｋ  ＳＤＰ２０００（ＳＥＮＳＩＥＮＴ社製）などが挙げられる。これらは、１種単独で使用してもよいし、２種以上を併用してもよい。
【００７９】
前記有機顔料としては、例えば、アゾ顔料、多環式顔料、染料キレート、ニトロ顔料、ニトロソ顔料、アニリンブラックなどが挙げられる。これらの中でも、アゾ顔料、多環式顔料が好ましい。
前記アゾ顔料としては、例えば、アゾレーキ、不溶性アゾ顔料、縮合アゾ顔料、キレートアゾ顔料などが挙げられる。前記多環式顔料としては、例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料などが挙げられる。前記染料キレートとしては、例えば、塩基性染料型キレート、酸性染料型キレート、などが挙げられる。
【００８０】
前記有機顔料の具体例としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１２８、１３９、１５０、１５１、１５５、１５３、１８０、１８３、１８５、２１３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３；Ｃ．Ｉ．ピグメントグリーン１、４、７、８、１０、１７、１８、３６などが挙げられる。これらは、１種単独で使用してもよいし、２種以上を併用してもよい。
【００８１】
前記顔料の比表面積は、特に制限はなく、目的に応じて適宜選択することができるが、１０ｍ2／ｇ以上１，５００ｍ2／ｇ以下が好ましく、２０ｍ2／ｇ以上６００ｍ2／ｇ以下がより好ましく、５０ｍ2／ｇ以上３００ｍ2／ｇ以下が更に好ましい。
所望の表面積と合わない場合には、顔料を比較的小さい粒径にするために、サイズ減少又は粉砕処理（例えば、ボールミル粉砕、又はジェットミル粉砕、又は超音波処理）をして調整することができる。
前記顔料の体積平均粒径（Ｄ50）は、インク中において、１０ｎｍ以上２００ｎｍ以下が好ましい。
【００８２】
前記水分散性顔料としては、（１）界面活性剤で顔料を分散した界面活性剤分散、（２）樹脂で顔料を分散した樹脂分散、（３）顔料の表面を樹脂で被覆した樹脂被覆分散、（４）顔料表面に親水基を設けた自己分散顔料などが挙げられる。
これらの中でも、経時保存安定性が高く、水分蒸発時の粘度上昇が抑制できる点から、前記（３）の顔料の表面を樹脂で被覆した樹脂被覆顔料、及び前記（４）の顔料表面に親水基を設けた自己分散顔料が好ましい。
【００８３】
前記（４）の親水性官能基を有する自己分散性顔料としては、アニオン性に帯電したものが好適である。前記アニオン性官能基としては、−ＣＯＯＭ、−ＳＯ3Ｍ、−ＰＯ3ＨＭ、−ＰＯ3Ｍ2、−ＣＯＮＭ2、−ＳＯ3ＮＭ2、−ＮＨ−Ｃ6Ｈ4−ＣＯＯＭ、−ＮＨ−Ｃ6Ｈ4−ＳＯ3Ｍ、−ＮＨ−Ｃ6Ｈ4−ＰＯ3ＨＭ、−ＮＨ−Ｃ6Ｈ4−ＰＯ3Ｍ2、−ＮＨ−Ｃ6Ｈ4−ＣＯＮＭ2、−ＮＨ−Ｃ6Ｈ4−ＳＯ3ＮＭ2などが挙げられ、カウンターイオンＭとしては、アルカリ金属イオン、四級アンモニウムイオンなどが挙げられるが、四級アンモニウムイオンが好ましい。
【００８４】
前記四級アンモニウムイオンとしては、例えば、テトラメチルアンモニウムイオン、テトラエチルアンモニウムイオン、テトラプロピルアンモニウムイオン、テトラブチルアンモニウムイオン、テトラペンチルアンモニウムイオン、ベンジルトリメチルアンモニウムイオン、ベンジルトリエチルアンモニウムイオン及びテトラヘキシルアンモニウムイオンが挙げられ、テトラエチルアンモニウムイオン、テトラブチルアンモニウムイオン及びベンジルトリメチルアンモニウムイオンなどが挙げられる。これらの中でも、テトラブチルアンモニウムイオンが好ましい。
前記親水性官能基及び四級アンモニウムイオンを有する自己分散性顔料を使用すると、水リッチなインク中でも水分が蒸発した有機溶剤リッチなインク中でも親和性を発揮し、顔料の分散が安定に保てると推測される。
【００８５】
前記自己分散性顔料の中でも、ジェミナルビスホスホン酸基及びジェミナルビスホスホン酸塩基の少なくとも一方で改質された顔料を用いたインクは、乾燥後の再分散性に優れるため、長期間印字を休止し、インクジェットヘッドノズル付近のインクの水分が蒸発した場合でも目詰まりを起こさず、簡単なクリーニング動作で容易に良好な印字が行える。更に、経時保存安定性が高く、水分蒸発時の粘度上昇も抑制されるので、ヘッド維持装置でのインク固着性及び吐出信頼性も非常に優れている。
【００８６】
前記ホスホン酸基又はホスホン酸塩基の具体例としては、下記構造式（ｉ）から（ｉｖ）のいずれかが挙げられる。
【化２８】
2019108518.tif 000037
【化２９】
2019108518.tif 000038
【化３０】
2019108518.tif 000039
ただし、前記構造式（iii）中、Ｘ＋は、Ｌｉ＋、Ｋ＋、Ｎａ＋、ＮＨ4＋、Ｎ(ＣＨ3)4＋、Ｎ(Ｃ2Ｈ5)4＋、Ｎ(Ｃ3Ｈ7)4＋及びＮ(Ｃ4Ｈ9)4＋のいずれかを示す。
【化３１】
2019108518.tif 000040
ただし、前記構造式（ｉｖ）中、Ｘ＋は、Ｌｉ＋、Ｋ＋、Ｎａ＋、ＮＨ4＋、Ｎ(ＣＨ3)4＋、Ｎ(Ｃ2Ｈ5)4＋、Ｎ(Ｃ3Ｈ7)4＋及びＮ(Ｃ4Ｈ9)4＋のいずれかを示す。
【００８７】
−顔料表面の改質処理−
ここで、ジェミナルビスホスホン酸基の場合を例として、顔料表面の改質処理について説明する。改質方法としては、例えば、以下の方法Ａ、方法Ｂが挙げられる。
〔方法Ａ〕
カーボンブラック２０ｇ、下記構造式（ｖ）又は構造式（ｖｉ）の化合物２０ミリモル、及びイオン交換高純水２００ｍＬを、室温環境下、Ｓｉｌｖｅｒｓｏｎミキサー（６０００ｒｐｍ）で混合する。得られるスラリーのｐＨが４より高い場合は、硝酸２０ミリモルを添加する。３０分後に、少量のイオン交換高純水に溶解された亜硝酸ナトリウム（２０ミリモル）を上記混合物にゆっくりと添加する。更に、撹拌しながら６０℃に加温し、１時間反応させると、カーボンブラックに下記構造式（ｖ）又は構造式（ｖｉ）の化合物を付加した改質顔料が生成する。次いで、ＮａＯＨ水溶液によりｐＨを１０に調整すると、３０分後に改質顔料分散体が得られる。次いで、該分散体とイオン交換高純水を用いて透析膜による限外濾過を行い、更に超音波分散を行って固形分を濃縮した改質顔料分散体を得る。
【００８８】
〔方法Ｂ〕
ＰｒｏｃｅｓｓＡｌｌ  ４ＨＶ  ミキサー（４Ｌ）に、乾燥カーボンブラック５００ｇ、イオン交換高純水１Ｌ及び下記構造式（ｖ）又は構造式（ｖｉ）の化合物１モルを充填する。次いで、混合物を１０分間、６０℃に加温しながら３００ｒｐｍで強く混合する。これに２０％亜硝酸ナトリウム水性溶液［構造式（ｖ）の化合物又は構造式（ｖｉ）の化合物に基づき１モル当量］を１５分間かけて添加し、６０℃に加温しながら、三時間混合撹拌する。
前記反応物をイオン交換高純水７５０ｍＬで希釈しながら取り出し、得られた改質顔料分散体とイオン交換高純水を用いて透析膜により限外濾過を行い、更に超音波分散を行って固形分を濃縮した改質顔料分散体を得る。更に、粗大粒子が多い場合は、遠心分離機等を用いて除去することが望ましい。
【００８９】
【化３２】
2019108518.tif 000041
【化３３】
2019108518.tif 000042
【００９０】
得られた改質顔料分散体には、必要に応じてｐＨ調整剤を添加してもよい。ｐＨ調整剤としては後述するインクのｐＨ調整剤と同じものを用いることができる。これらの中でも、Ｎａ＋、Ｎ(ＣＨ3)4＋、Ｎ(Ｃ2Ｈ5)4＋、Ｎ(Ｃ3Ｈ7)4＋、Ｎ(Ｃ4Ｈ9)4＋が好ましい。
そして、ｐＨ調整剤による処理を行うと、前記構造式（ｖ）又は構造式（ｖｉ）の化合物の少なくとも一部はそれらの塩（前記構造式（iii）又は構造式（ｉｖ）に相当する化合物）に変わる。
【００９１】
前記（３）の顔料の表面を樹脂で被覆した樹脂被覆顔料としては、ポリマー粒子に顔料を含有させたポリマーエマルジョンが好ましい。
前記ポリマー粒子に顔料を含有させたポリマーエマルジョンとは、前記ポリマー粒子中に顔料を封入したもの、又はポリマー粒子の表面に顔料を吸着させたものである。この場合、全ての顔料が封入又は吸着している必要はなく、本発明の効果が損なわれない範囲で該顔料がエマルジョン中に分散にしていてもよい。
前記ポリマーエマルジョンを形成するポリマー（ポリマー微粒子におけるポリマー）としてはビニル系ポリマー、ポリエステル系ポリマー、ポリウレタン系ポリマーなどが挙げられるが、特に好ましく用いられるポリマーは、ビニル系ポリマー及びポリエステル系ポリマーであり、特開２０００−５３８９７号公報、特開２００１−１３９８４９号公報に開示されているポリマーを引用することができる。
【００９２】
この場合、一般的な有機顔料、若しくは無機顔料粒子を有機顔料又はカーボンブラックで被覆した複合顔料を好適に用いることができる。前記複合顔料は、無機顔料粒子の存在下で有機顔料を析出する方法や、無機顔料と有機顔料を機械的に混摩砕するメカノケミカル法等により作製することができる。
更に必要に応じて、ポリシロキサン、アルキルシランから生成するオルガノシラン化合物の層を、無機顔料と有機顔料の中間に設けることで両者の接着性を向上させることが可能である。
【００９３】
前記有機顔料及び前記無機顔料としては、特に制限はなく、上述したものの中から適宜選択して用いることができる。
前記無機顔料粒子と色材である有機顔料又はカーボンブラックとの質量比は、３：１から１：３が好ましく、３：２から１：２がより好ましい。
前記色材が少ないと発色性や着色力が低下することがあり、色材が多くなると透明性や色調が悪くなることがある。
【００９４】
このような無機顔料粒子を有機顔料又はカーボンブラックで被覆した色材粒子としては、戸田工業株式会社製のシリカ／カーボンブラック複合材料、シリカ／フタロシアニンＰＢ１５：３複合材料、シリカ／ジスアゾイエロー複合材料、シリカ／キナクリドンＰＲ１２２複合材料などが、一次平均粒径が小さい点から、好適に用いることができる。
ここで、２０ｎｍの一次粒子径を持つ無機顔料粒子を等量の有機顔料で被覆した場合、この顔料の一次粒子径は、２５ｎｍ程度になる。これに適当な分散剤を用いて一次粒子まで分散できれば、分散粒子径が２５ｎｍの非常に微細な顔料分散インクを作製することができる。
【００９５】
前記複合顔料は、表面の有機顔料のみが分散に寄与するだけでなく、厚み２．５ｎｍの有機顔料の薄層を通して中心にある無機顔料の性質も現れてくるため、両者を同時に分散安定化できる顔料分散剤の選択も重要である。
【００９６】
前記色材の含有量は、インク全量に対して、１質量％以上１５質量％以下が好ましく、２質量％以上１０質量％以下がより好ましい。前記含有量が１質量％以上であれば、十分なインクの発色性及び画像濃度が得られる。一方、前記含有量が１５質量％以下であれば、インクが増粘したり、吐出性が悪くなったりすることはなく、経済的にも好ましい。
【００９７】
＜水＞
前記水としては、例えば、イオン交換水、限外濾過水、逆浸透水、蒸留水等の純水、又は超純水を用いることができる。
前記水のインク中における含有量としては、特に制限はなく、目的に応じて適宜選択することができる。
【００９８】
＜その他の成分＞
前記その他の成分としては、特に制限はなく、必要に応じて適宜選択することができ、例えば、抑泡剤（消泡剤）、水分散性樹脂、ｐＨ調整剤、防腐防黴剤、キレート試薬、防錆剤、酸化防止剤、紫外線吸収剤、酸素吸収剤、光安定化剤、などが挙げられる。
【００９９】
−抑泡剤（消泡剤）−
前記抑泡剤（消泡剤）は、インク中に微量添加することによって、その発泡を抑えるために用いられる。ここで、前記発泡とは液体が薄い膜になって空気を包むことである。この泡の生成にはインクの表面張力や粘度等の特性が関与する。即ち、水のように表面張力が高い液体は、液体の表面積をできるだけ小さくしようとする力が働くために、発泡し難い。これに対し、高粘度で高浸透性のインクは、表面張力が低いために発泡し易く、溶液の粘性により生成した泡が維持されやすく消泡し難い。
【０１００】
通常、前記抑泡剤は、泡膜の表面張力を局部的に低下させて泡を破壊するか、発泡液に不溶な抑泡剤を発泡液表面に点在させることで泡を破壊する。前記インクに界面活性剤として表面張力を低下させる働きの極めて強いポリエーテル変性シロキサン化合物を用いた場合には、前者の機構による抑泡剤を用いても泡膜の表面張力を局部的に低下させることができないため、通常は用いられない。そのため、後者の発泡液に不溶な抑泡剤が用いられるが、この場合、溶液に不溶な抑泡剤によりインクの安定性が低下する。
【０１０１】
前記抑泡剤の含有量は、インク全量に対して、０．０１質量％以上１０質量％以下が好ましく、０．１質量％以上５質量％以下がより好ましい。前記抑泡剤の含有量が０．０１質量％以上であると、泡を抑える効果が得られ、１０質量％以下であると、良好な抑泡性が得られ、粘度、粒径等のインク物性が適正となる。
【０１０２】
−水分散性樹脂−
前記水分散性樹脂は、造膜性（画像形成性）に優れ、かつ高撥水性、高耐水性、高耐候性を備えて、高耐水性で高画像濃度（高発色性）の画像記録に有用である。
前記水分散性樹脂としては、例えば、縮合系合成樹脂、付加系合成樹脂、天然高分子化合物などが挙げられる。これらは、１種単独で使用してもよいし、２種以上を併用してもよい。
【０１０３】
前記縮合系合成樹脂としては、例えば、ポリエステル樹脂、ポリウレタン樹脂、ポリエポキシ樹脂、ポリアミド樹脂、ポリエーテル樹脂、ポリ（メタ）アクリル樹脂、アクリル−シリコーン樹脂、フッ素系樹脂などが挙げられる。
前記付加系合成樹脂としては、例えば、ポリオレフィン樹脂、ポリスチレン系樹脂、ポリビニルアルコール系樹脂、ポリビニルエステル系樹脂、ポリアクリル酸系樹脂、不飽和カルボン酸系樹脂などが挙げられる。
前記天然高分子化合物としては、例えば、セルロース類、ロジン類、天然ゴムなどが挙げられる。
これらの中でも、フッ素系樹脂及びアクリル−シリコーン樹脂が好ましい。
【０１０４】
前記フッ素系樹脂としては、フルオロオレフィン単位を有するフッ素系樹脂が好ましく、フルオロオレフィン単位及びビニルエーテル単位から構成されるフッ素含有ビニルエーテル系樹脂がより好ましい。
前記フルオロオレフィン単位としては、特に制限はなく、目的に応じて適宜選択することができるが、例えば、−ＣＦ2ＣＦ2−、−ＣＦ2ＣＦ(ＣＦ3)−、−ＣＦ2ＣＦＣｌ−などが挙げられる。
前記ビニルエーテル単位としては、特に制限はなく、目的に応じて適宜選択することができるが、例えば、下記構造式で表される化合物などが挙げられる。
【０１０５】
【化３４】
2019108518.tif 000043
【０１０６】
前記フルオロオレフィン単位及びビニルエーテル単位から構成されるフッ素含有ビニルエーテル系樹脂としては、前記フルオロオレフィン単位とビニルエーテル単位が交互に共重合してなる交互共重合体が好ましい。
このようなフッ素系樹脂としては、適宜合成したものを使用してもよいし、市販品を使用してもよい。該市販品としては、例えば、大日本インキ化学工業株式会社製のフルオネートＦＥＭ−５００、ＦＥＭ−６００、ディックガードＦ−５２Ｓ、Ｆ−９０、Ｆ−９０Ｍ、Ｆ−９０Ｎ，アクアフランＴＥ−５Ａ；旭硝子株式会社製のルミフロンＦＥ４３００、ＦＥ４５００、ＦＥ４４００、アサヒガードＡＧ−７１０５、ＡＧ−９５０、ＡＧ−７６００、ＡＧ−７０００、ＡＧ−１１００などが挙げられる。
【０１０７】
前記水分散性樹脂は、ホモポリマーとして使用されてもよく、また、コポリマーして使用して複合系樹脂として用いてもよく、単相構造型及びコアシェル型、パワーフィード型エマルジョンのいずれのものも使用できる。
前記水分散性樹脂としては、樹脂自身が親水基を持ち自己分散性を持つもの、樹脂自身は分散性を持たず界面活性剤や親水基をもつ樹脂にて分散性を付与したものが使用できる。これらの中でも、ポリエステル樹脂やポリウレタン樹脂のアイオノマーや不飽和単量体の乳化及び懸濁重合によって得られた樹脂粒子のエマルジョンが最適である。不飽和単量体の乳化重合の場合には、不飽和単量体、重合開始剤、界面活性剤、連鎖移動剤、キレート剤、及びｐＨ調整剤などを添加した水にて反応させ樹脂エマルジョンを得るため、容易に水分散性樹脂を得ることができ、樹脂構成を容易に替えやすいため目的の性質を作りやすい。
【０１０８】
前記不飽和単量体としては、例えば、不飽和カルボン酸類、単官能又は多官能の（メタ）アクリル酸エステル単量体類、（メタ）アクリル酸アミド単量体類、芳香族ビニル単量体類、ビニルシアノ化合物単量体類、ビニル単量体類、アリル化合物単量体類、オレフィン単量体類、ジエン単量体類、不飽和炭素を持つオリゴマー類などを単独及び複数組み合わせて用いることができる。これらの単量体を組み合わせることで柔軟に性質を改質することが可能であり、オリゴマー型重合開始剤を用いて重合反応、グラフト反応を行うことで樹脂の特性を改質することもできる。
【０１０９】
前記不飽和カルボン酸類としては、例えば、アクリル酸、メタクリル酸、イタコン酸、フマール酸、マレイン酸等が挙げられる。
前記単官能の（メタ）アクリル酸エステル単量体類としては、例えば、メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルヘキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート、２−ヒドロキシエチルメタクリレート、２−ヒドロキシプロピルメタクリレート、ジメチルアミノエチルメタクリレート、メタクリロキシエチルトリメチルアンモニウム塩、３−メタクリロキシプロピルトリメトキシシラン、メチルアクリレート、エチルアクリレート、イソプロピルアクリレート、ｎ−ブチルアクリレート、イソブチルアクリレート、ｎ−アミルアクリレート、イソアミルアクリレート、ｎ−へキシルアクリレート、２−エチルへキシルアクリレート、オクチルアクリレート、デシルアクリレート、ドデシルアクリレート、オクタデシルアクリレート、シクロへキシルアクリレート、フェニルアクリレート、ベンジルアクリレート、グリシジルアクリレート、２−ヒドロキシエチルアクリレート、２−ヒドロキシプロピルアクリレート、ジメチルアミノエチルアクリレート、アクリロキシエチルトリメチルアンモニウム塩、などが挙げられる。
【０１１０】
前記多官能の（メタ）アクリル酸エステル単量体類としては、例えば、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４−ブチレングリコールジメタクリレート、１，６−ヘキサンジオールジメタクリレート、ネオペンチルグリコールジメタクリレート、ジプロピレングリコールジメタクリレート、ポリプロピレングリコールジメタクリレート、ポリブチレングリコールジメタクリレート、２，２’−ビス（４−メタクリロキシジエトキシフェニル）プロパン、トリメチロールプロパントリメタクリレート、トリメチロールエタントリメタクリレート、ポリエチレングリコールジアクリレート、トリエチレングリコールジアクリレート、１，３−ブチレングリコールジアクリレート、１，４−ブチレングリコールジアクリレート、１，６−ヘキサンジオールジアクリレート、ネオペンチルグリコールジアクリレート、１，９−ノナンジオールジアクリレート、ポリプロピレングリコールジアクリレート、２，２’−ビス（４−アクリロキシプロピロキシフェニル）プロパン、２，２’−ビス（４−アクリロキシジエトキシフェニル）プロパントリメチロールプロパントリアクリレート、トリメチロールエタントリアクリレート、テトラメチロールメタントリアクリレート、ジトリメチロールテトラアクリレート、テトラメチロールメタンテトラアクリレート、ペンタエリスリトールテトラアクリレート、ジペンタエリスリトールヘキサアクリレートなどが挙げられる。
【０１１１】
前記（メタ）アクリル酸アミド単量体類としては、例えば、アクリルアミド、メタクリルアミド、Ｎ，Ｎ−ジメチルアクリルアミド、メチレンビスアクリルアミド、２−アクリルアミド−２−メチルプロパンスルホン酸などが挙げられる。
【０１１２】
前記芳香族ビニル単量体類としては、例えば、スチレン、α−メチルスチレン、ビニルトルエン、４−ｔ−ブチルスチレン、クロルスチレン、ビニルアニソール、ビニルナフタレン、ジビニルベンゼンなどが挙げられる。
【０１１３】
前記ビニルシアノ化合物単量体類としては、例えば、アクリロニトリル、メタクリロニトリルなどが挙げられる。
【０１１４】
前記ビニル単量体類としては、例えば、酢酸ビニル、塩化ビニリデン、塩化ビニル、ビニルエーテル、ビニルケトン、ビニルピロリドン、ビニルスルホン酸又はその塩、ビニルトリメトキシシラン、ビニルトリエトキシシランなどが挙げられる。
前記アリル化合物単量体類としては、例えば、アリルスルホン酸その塩、アリルアミン、アリルクロライド、ジアリルアミン、ジアリルジメチルアンモニウム塩などが挙げられる。
前記オレフィン単量体類としては、例えば、エチレン、プロピレンなどが挙げられる。
前記ジエン単量体類としては、例えば、ブタジエン、クロロプレンなどが挙げられる。
【０１１５】
前記不飽和炭素を持つオリゴマー類としては、例えば、メタクリロイル基を持つスチレンオリゴマー、メタクリロイル基を持つスチレン−アクリロニトリルオリゴマー、メタクリロイル基を持つメチルメタクリレートオリゴマー、メタクリロイル基を持つジメチルシロキサンオリゴマー、アクリロイル基を持つポリエステルオリゴマーなどが挙げられる。
【０１１６】
前記水分散性樹脂は、強アルカリ性、強酸性下では分散破壊や加水分解などの分子鎖の断裂が引き起こされるため、ｐＨは４〜１２が好ましく、特に水分散色材との混和性の点からｐＨは６〜１１がより好ましく、７〜１０が更に好ましい。
【０１１７】
前記水分散性樹脂の体積平均粒径は、分散液の粘度と関係しており、組成が同じものでは粒径が小さくなるほど同一固形分での粘度が大きくなる。インク化した時に過剰な高粘度にならないためにも水分散性樹脂の体積平均粒径は５０ｎｍ以上が好ましい。
また、粒径が数十μｍになるとインクジェットヘッドのノズル口より大きくなるため使用できない。ノズル口より小さくとも粒子径の大きな粒子がインク中に存在すると吐出性を悪化させる。そこで、インク吐出性を阻害させないために体積平均粒径は２００ｎｍ以下がより好ましく、１５０ｎｍ以下が更に好ましい。
【０１１８】
前記水分散性樹脂は、前記色材を紙面に定着させる働きを有し、常温で被膜化して色材の定着性を向上させることが好ましい。そのため、前記水分散性樹脂の最低造膜温度（ＭＦＴ）は３０℃以下であることが好ましい。また、前記水分散性樹脂のガラス転移温度が−４０℃以下になると樹脂皮膜の粘稠性が強くなり印字物にタックが生じるため、ガラス転移温度が−３０℃以上の水分散性樹脂であることが好ましい。
前記水分散性樹脂の含有量は、インク全量に対して、固形分で、０．５質量％以上１５質量％以下が好ましく、１質量％以上８質量％以下がより好ましい。
【０１１９】
−ｐＨ調整剤−
前記ｐＨ調整剤としては、調合されるインクに悪影響を及ぼさずにｐＨを７〜１１に調整できるものであれば特に制限はなく、目的に応じて適宜選択することができるが、例えば、アルコールアミン類、アルカリ金属元素の水酸化物、アンモニウムの水酸化物、ホスホニウム水酸化物、アルカリ金属の炭酸塩、などが挙げられる。前記ｐＨが７未満及び１１を超えるとインクジェットのヘッドやインク供給ユニットを溶かし出す量が大きく、インクの変質や漏洩、吐出不良などの不具合が生じることがある。
前記アルコールアミン類としては、例えば、ジエタノールアミン、トリエタノールアミン、２−アミノ−２−エチル−１，３−プロパンジオールなどが挙げられる。
前記アルカリ金属元素の水酸化物としては、例えば、水酸化リチウム、水酸化ナトリウム、水酸化カリウムなどが挙げられる。
前記アンモニウムの水酸化物としては、例えば、水酸化アンモニウム、第４級アンモニウム水酸化物などが挙げられる。
前記ホスホニウム水酸化物としては、例えば、第４級ホスホニウム水酸化物などが挙げられる。
前記アルカリ金属の炭酸塩としては、例えば、炭酸リチウム、炭酸ナトリウム、炭酸カリウムなどが挙げられる。
【０１２０】
−防腐防黴剤−
前記防腐防黴剤としては、例えば、デヒドロ酢酸ナトリウム、ソルビン酸ナトリウム、２−ピリジンチオール−１−オキサイドナトリウム、安息香酸ナトリウム、ペンタクロロフェノールナトリウムなどが挙げられる。
【０１２１】
−キレート試薬−
前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。
【０１２２】
−防錆剤−
前記防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライトなどが挙げられる。
【０１２３】
−酸化防止剤−
前記酸化防止剤としては、例えば、フェノール系酸化防止剤（ヒンダードフェノール系酸化防止剤を含む）、アミン系酸化防止剤、硫黄系酸化防止剤、リン系酸化防止剤などが挙げられる。
【０１２４】
−ワックス−
ワックスとしては、融点が低く摩擦抵抗が小さいものが好ましい。好ましいワックスとしては、例えば、以下のワックスを挙げることができる。
・ポリエチレンワックス：ビックケミー社製、商品名：AQUACER531、融点130℃
・ポリエチレンワックス：ビックケミー社製、商品名：AQUACER515、融点135℃
・ポリエチレンワックス：ビックケミー社製、商品名：AQUACER  3RC1452、融点130℃
なお、前記ワックスは、固形分濃度が３０質量％になるようにイオン交換水で希釈して添加してもよい。
【０１２５】
＜インクの製造方法＞
本発明のインクは、前記色材、前記有機溶剤、及び前記界面活性剤、更に必要に応じて前記その他の成分を水中に分散又は溶解し、更に必要に応じて攪拌混合して製造する。前記攪拌混合は、例えば、サンドミル、ホモジナイザー、ボールミル、ペイントシェイカー、超音波分散機、攪拌羽を用いた攪拌機、マグネチックスターラー、高速の分散機等で行うことができる。
【０１２６】
−インク物性−
前記インクの物性としては、特に制限はなく、目的に応じて適宜選択することができ、例えば、粘度、表面張力等が以下の範囲であることが好ましい。
前記インクの２５℃での粘度は５ｍＰａ・ｓ以上２５ｍＰａ・ｓ以下が好ましい。更に好ましくは、２５℃での粘度は６ｍＰａ・ｓ以上２０ｍＰａ・ｓ以下の範囲がよい。前記インク粘度が５ｍＰａ・ｓ以上とすることによって、印字濃度や文字品位を向上させる効果が得られる。一方、インク粘度を２５ｍＰａ・ｓ以下に抑えることで、吐出性を確保することができる。
ここで、前記粘度は、例えば、粘度計（ＲＥ−５５０Ｌ、東機産業株式会社製）を用いて、２５℃で測定することができる。
【０１２７】
本発明のインクは、インクジェット記録用及びスプレー塗装用のいずれかに好適に用いられる。
前記インクジェット記録用としてのインクは、インクジェットヘッドとして、インク流路内のインクを加圧する圧力発生手段として圧電素子を用いてインク流路の壁面を形成する振動板を変形させてインク流路内容積を変化させてインク滴を吐出させるいわゆるピエゾ型のもの（特開平２−５１７３４号公報参照）、又は、発熱抵抗体を用いてインク流路内でインクを加熱して気泡を発生させるいわゆるサーマル型のもの（特開昭６１−５９９１１号公報参照）、インク流路の壁面を形成する振動板と電極とを対向配置し、振動板と電極との間に発生させる静電力によって振動板を変形させることで，インク流路内容積を変化させてインク滴を吐出させる静電型のもの（特開平６−７１８８２号公報参照）などのいずれのインクジェットヘッドを搭載するプリンタにも良好に使用できる。
【０１２８】
（インクセット）
本発明のインク組成物は、イエローインク、マゼンタインク又はシアンインク等のカラーインクであっても、ブラックインクであってもよく、それぞれ独立に本発明のインクである。また、カラーインクとブラックインクとを組み合わせてインクセットとすることができる。前記カラーインク及び前記ブラックインクはいずれも、それぞれ独立に、本発明のインクであることが好ましい。
【０１２９】
（インク容器）
本発明のインク容器は、本発明の前記インク組成物、又は本発明のインクセットに用いる各インク組成物を容器中に収容してなり、更に必要に応じて適宜選択したその他の部材等を有してなるインクカートリッジに用いることができる。
前記容器としては、特に制限はなく、目的に応じてその形状、構造、大きさ、材質等を適宜選択することができ、例えば、アルミニウムラミネートフィルム、樹脂フィルム等で形成されたインク袋などを少なくとも有するもの、などが好適に挙げられる。
【０１３０】
次に、前記インクカートリッジについて、図１及び図２を参照して説明する。ここで、図１は、前記インクカートリッジの一例を示す図であり、図２は図１のインクカートリッジのケース（外装）も含めた図である。
前記インクカートリッジ２００は、図１に示すように、インク注入口２４２からインク袋２４１内に充填され、排気した後、該インク注入口２４２は融着により閉じられる。使用時には、ゴム部材からなるインク排出口２４３に装置本体の針を刺して装置に供給される。
インク袋２４１は、透気性のないアルミニウムラミネートフィルム等の包装部材により形成されている。このインク袋２４１は、図２に示すように、通常、プラスチック製のカートリッジケース２４４内に収容され、各種画像形成装置に着脱可能に装着して用いられるようになっている。
【０１３１】
（画像形成方法及び画像形成装置）
本発明の画像形成方法は、記録用メディアに対して、本発明のインク組成物を付与する付与工程を少なくとも含み、更に必要に応じて適宜選択したその他の工程を含んでなる。
本発明の画像形成装置は、本発明のインク組成物と、記録用メディアに対して、前記インク組成物を付与する付与手段を少なくとも有してなり、更に必要に応じて適宜選択したその他の手段を有してなる。
【０１３２】
本発明の画像形成方法は、本発明の画像形成装置により好適に実施することができ、前記インク組成物を付与する付与工程は前記インク付与手段により好適に行うことができる。また、前記その他の工程は、前記その他の手段により好適に行うことができる。
【０１３３】
＜インク付与工程及びインク付与手段＞
前記インク付与工程は、前記インク組成物を吐出させて記録用メディアに画像を形成する工程である。
前記インク付与手段は、前記インク組成物に、刺激（エネルギー）を印加し、前記インク組成物を吐出させて記録用メディアに画像を形成する手段である。前記インク付与手段としては、特に制限はなく、例えば、インク吐出用の各種のノズルなどが挙げられる。
【０１３４】
前記インクの付与の態様としては、特に制限はなく、例えば、記録ヘッド内の前記インクに対し、記録信号に対応した熱エネルギーを、サーマルヘッド等を用いて付与し、該熱エネルギーにより前記インクに気泡を発生させ、該気泡の圧力により、該記録ヘッドのノズル孔から該インクを液滴として吐出噴射させる方法、などが挙げられる。また、例えば記録ヘッド内のインク流路内にある圧力室と呼ばれる位置に接着された圧電素子に電圧を印加することにより、圧電素子が撓み、圧力室の容積が縮小して、前記記録ヘッドのノズル孔から前記インクを液滴として吐出噴射させる方法などが挙げられる。
【０１３５】
＜その他の工程及びその他の手段＞
前記その他の工程としては、特に制限はなく、目的に応じて適宜選択することができ、例えば、乾燥工程、制御工程、などが挙げられる。
前記その他の手段としては、特に制限はなく、目的に応じて適宜選択することができ、例えば、乾燥手段、制御手段、などが挙げられる。
【０１３６】
−乾燥工程及び乾燥手段−
前記乾燥工程は、前記インクで画像が記録された記録用メディアを加熱乾燥する工程であり、乾燥手段により行われる。
前記乾燥は、特に制限はなく、目的に応じて適宜選択することは例えば、赤外線乾燥装置、マイクロ波乾燥装置、ロールヒーター、ドラムヒーターや温風により行うことができる。なお、画像形成表面を平滑化及び画像定着するため、加熱手段により１００℃以上１５０℃以下に加熱して熱定着させる定着工程を設けてもよい。
前記定着工程を設けることにより、画像記録物の光沢性及び定着性が向上する。ここで熱定着手段としては、加熱された鏡面を持つローラやドラムヒーター等が好適に用いられ、画像形成表面にロールヒーター、ドラムヒーターの鏡面部（平滑部）を接触させることができる。加熱温度については、画像品質、安全性及び経済性を考えると１００℃以上１５０℃以下に加熱された定着ローラが好ましい。
【０１３７】
−制御工程及び制御手段−
前記制御工程は、前記各工程を制御する工程であり、制御手段により行われる。
前記制御手段としては、前記各手段の動きを制御することができる限り特に制限はなく、目的に応じて適宜選択することができ、例えば、シークエンサー、コンピュータ等の機器が挙げられる。
【０１３８】
ここで、本発明の画像形成装置により本発明の画像形成方法を実施する一の態様について、図面を参照しながら説明する。
図３に示す画像形成装置は、装置本体１０１と、該装置本体１０１に装着した用紙を装填するための給紙トレイ１０２と、装置本体１０１に装着され画像が記録（形成）された用紙をストックするための排紙トレイ１０３と、インクカートリッジ装填部１０４とを有する。この給紙トレイ１０２を使用して各種記録用メディアの給紙が可能である。
インクカートリッジ装填部１０４の上面には、操作キーや表示器などの操作部１０５が配置されている。インクカートリッジ装填部１０４は、インクカートリッジ２００の脱着を行うための開閉可能な前カバー１１５を有している。
装置本体１０１内には、図４及び図５に示すように、図示を省略している左右の側板に横架したガイド部材であるガイドロッド１３１とステー１３２とでキャリッジ１３３を主走査方向に摺動可能に保持し、主走査モータによって図５の矢示方向に移動走査する。
キャリッジ１３３には、イエロー（Ｙ）、シアン（Ｃ）、マゼンタ（Ｍ）、ブラック（Ｂｋ）の各色のインク滴を吐出する４個のインクジェット記録用ヘッドからなる記録ヘッド１３４を複数のインク吐出口を主走査方向と交叉する方向に配列し、インク滴吐出方向を下方に向けて装着している。
記録ヘッド１３４を構成するインクジェット記録用ヘッドとしては、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等をインクを吐出するためのエネルギー発生手段として備えたものなどを使用できる。
また、キャリッジ１３３には、記録ヘッド１３４に各色のインクを供給するための各色のサブタンク１３５を搭載している。サブタンク１３５には、図示しないインク供給チューブを介して、インクカートリッジ装填部１０４に装填されたインクカートリッジ２００からインクが供給されて補充される。
【０１３９】
一方、給紙トレイ１０２の用紙積載部（圧板）１４１上に積載した用紙１４２を給紙するための給紙部として、用紙積載部１４１から用紙１４２を１枚ずつ分離給送する半月コロ（給紙コロ１４３）、及び給紙コロ１４３に対向し、摩擦係数の大きな材質からなる分離パッド１４４を備え、この分離パッド１４４は給紙コロ１４３側に付勢されている。
この給紙部から給紙された用紙１４２を記録ヘッド１３４の下方側で搬送するための搬送部として、用紙１４２を静電吸着して搬送するための搬送ベルト１５１と、給紙部からガイド１４５を介して送られる用紙１４２を搬送ベルト１５１との間で挟んで搬送するためのカウンタローラ１５２と、略鉛直上方に送られる用紙１４２を略９０°方向転換させて搬送ベルト１５１上に倣わせるための搬送ガイド１５３と、押え部材１５４で搬送ベルト１５１側に付勢された先端加圧コロ１５５とが備えられ、また、搬送ベルト１５１表面を帯電させるための帯電手段である帯電ローラ１５６が備えられている。
【０１４０】
搬送ベルト１５１は、無端状ベルトであり、搬送ローラ１５７とテンションローラ１５８との間に張架されて、ベルト搬送方向に周回可能である。この搬送ベルト１５１は、例えば、抵抗制御を行っていない厚み４０μｍ程度の樹脂材、例えば、テトラフルオロエチレンとエチレンの共重合体（ＥＴＦＥ）で形成した用紙吸着面となる表層と、この表層と同材質でカーボンによる抵抗制御を行った裏層（中抵抗層、アース層）とを有している。搬送ベルト１５１の裏側には、記録ヘッド１３４による印写領域に対応してガイド部材１６１が配置されている。なお、記録ヘッド１３４で記録された用紙１４２を排紙するための排紙部として、搬送ベルト１５１から用紙１４２を分離するための分離爪１７１と、排紙ローラ１７２及び排紙コロ１７３とが備えられており、排紙ローラ１７２の下方に排紙トレイ１０３が配されている。
【０１４１】
装置本体１０１の背面部には、両面給紙ユニット１８１が着脱可能に装着されている。両面給紙ユニット１８１は、搬送ベルト１５１の逆方向回転で戻される用紙１４２を取り込んで反転させて再度カウンタローラ１５２と搬送ベルト１５１との間に給紙する。なお、両面給紙ユニット１８１の上面には手差し給紙部１８２が設けられている。
前記画像形成装置においては、給紙部から用紙１４２が１枚ずつ分離給紙され、略鉛直上方に給紙された用紙１４２は、ガイド１４５で案内され、搬送ベルト１５１とカウンタローラ１５２との間に挟まれて搬送される。更に先端を搬送ガイド１５３で案内されて先端加圧コロ１５５で搬送ベルト１５１に押し付けられ、略９０°搬送方向を転換される。
【０１４２】
このとき、帯電ローラ１５６によって搬送ベルト１５１が帯電されており、用紙１４２は、搬送ベルト１５１に静電吸着されて搬送される。そこで、キャリッジ１３３を移動させながら画像信号に応じて記録ヘッド１３４を駆動することにより、停止している用紙１４２にインク滴を吐出して１行分を記録し、用紙１４２を所定量搬送後、次行の記録を行う。記録終了信号又は用紙１４２の後端が記録領域に到達した信号を受けることにより、記録動作を終了して、用紙１４２を排紙トレイ１０３に排紙する。
そして、サブタンク１３５内のインクの残量ニアーエンドが検知されると、インクカートリッジ２００から所要量のインクがサブタンク１３５に補給される。
【０１４３】
前記画像形成装置においては、インクカートリッジ２００中のインクを使い切ったときには、インクカートリッジ２００における筐体を分解して内部のインク袋だけを交換することができる。また、インクカートリッジ２００は、縦置きで前面装填構成としても、安定したインクの供給を行うことができる。したがって、装置本体１０１の上方が塞がって設置されているような場合、例えば、ラック内に収納したり、又は装置本体１０１の上面に物が置かれたりしているような場合でも、インクカートリッジ２００の交換を容易に行うことができる。
なお、ここでは、キャリッジが走査するシリアル型（シャトル型）画像形成装置に適用した例で説明したが、ライン型ヘッドを備えたライン型画像形成装置にも同様に適用することができる。
【０１４４】
本発明の画像形成装置及び画像形成方法は、インクジェット記録方式による各種記録に適用することができ、例えば、インクジェット記録用プリンタ、ファクシミリ装置、複写装置、プリンタ／ファックス／コピア複合機、などに特に好適に適用することができる。
【０１４５】
（画像形成物）
本発明の画像形成物は、記録用メディア上に、本発明の前記インクを用いて形成された画像を有してなる。
【０１４６】
＜記録用メディア＞
前記記録用メディアとしては、特に制限はなく、目的に応じて適宜選択することができ、例えば、普通紙、光沢紙、特殊紙、布、フィルム、ＯＨＰシート、汎用印刷用紙などが挙げられる。
前記画像形成物は、高画質で滲みがなく、経時安定性に優れ、各種の印字乃至画像の記録された資料等として各種用途に好適に使用することができる。
これらの中でも、画像品質（画像濃度、彩度、ビーディング、カラーブリード）に優れ、かつ光沢性が高く、更にスミア定着性にも優れた画像が記録できる点から、吸液特性が一定範囲内の汎用印刷用紙が好適であり、具体的には、支持体の少なくとも一方の面上に塗工層を有する記録用メディアであり、前記塗工層を有する面が、動的走査吸液計で測定した接触時間１００ｍｓにおける純水の前記記録用メディアへの転移量が２ｍｌ／ｍ2以上３５ｍｌ／ｍ2以下が好ましく、かつ接触時間４００ｍｓにおける純水の前記記録用メディアへの転移量が３ｍｌ／ｍ2以上４０ｍｌ／ｍ2以下である記録用メディアが好ましい。
前記インクでも純水の転移量が少なすぎる記録用メディアだと、ビーディング（隣り合ったドットが引き付けあったりして画像にブツブツ感が出るような現象）及びカラーブリード（色間の滲み）が発生し易くなることがあり、純水の転移量が多すぎる記録用メディアだと、記録後のインクドット径が所望の径よりも小さくなり、ベタ画像が埋まらないことがある。
ここで、この動的走査吸液計（ｄｙｎａｍｉｃ  ｓｃａｎｎｉｎｇ  ａｂｓｏｒｐｔｏｍｅｔｅｒ；ＤＳＡ，紙パ技協誌、第４８巻、１９９４年５月、第８８〜９２頁、空閑重則）は、極めて短時間における吸液量を正確に測定できる装置である。この動的走査吸液計は、（ｉ）吸液の速度をキャピラリー中のメニスカスの移動から直読する、（ｉｉ）試料を円盤状とし、この上で吸液ヘッドをらせん状に走査する、予め設定したパターンに従って走査速度を自動的に変化させ、１枚の試料で必要な点の数だけ測定を行う、という方法によって測定を自動化したものである。紙試料への液体供給ヘッドはテフロン（登録商標）管を介してキャピラリーに接続され、キャピラリー中のメニスカスの位置は光学センサで自動的に読み取られる。具体的には、動的走査吸液計（Ｋ３５０シリーズＤ型、協和精工株式会社製）を用いて、純水の転移量を測定した。接触時間１００ｍｓにおける転移量は、それぞれ接触時間の近隣接触時間における転移量の測定値から補間により求めることができる。
前記吸液特性が一定範囲内の汎用印刷用紙としては、市販品を用いることができ、前記市販品としては、例えば、ＰＯＤグロスコート、ＯＫトップコート＋、ＯＫ金藤＋、ＳＡ金藤＋（王子製紙株式会社製）、スーパーＭＩダル、オーロラコート、スペースＤＸ（日本製紙株式会社製）、αマット、ミューコート（北越製紙株式会社製）、雷鳥アート、雷鳥スーパーアート（中越パルプ工業株式会社製）、パールコートＮ（三菱製紙株式会社製）などが挙げられる。
【実施例】
【０１４７】
以下、本発明の実施例を説明するが、本発明は、これらの実施例に何ら限定されるものではない。なお、「部」及び「％」は、特に断りの無い限り、「質量部」及び「質量％」である。
【０１４８】
＜水不溶性ビニルポリマーにより被覆された顔料分散体＞
前記水分散性顔料として、水不溶性ビニルポリマーにより被覆された顔料を用いる。この顔料の水分散体を得る方法としては、前記水不溶性ビニルポリマーを有機溶媒に溶解させ、前記顔料、水、中和剤及び必要に応じて界面活性剤を加えて混練した後、必要に応じて水で希釈し、有機溶媒を留去して水系にする方法が好ましい。
【０１４９】
＜水不溶性ビニルポリマー製造例１〜３＞
反応容器内に、メチルエチルケトン２０質量部、重合連鎖移動剤（２−メルカプトエタノール）０．０３質量部、及び表１に示す各モノマー（質量部表示）のうちのそれぞれ１０質量％ずつを入れて混合し、窒素ガス置換を十分に行い、混合溶液を得た。
【０１５０】
一方、滴下ロート中に、表１に示す各モノマー（質量部表示）のうちの残りの９０質量％ずつを仕込み、次いで重合連鎖移動剤（２−メルカプトエタノール）０．２７質量部、メチルエチルケトン６０質量部及び２，２’−アゾビス（２，４−ジメチルバレロニトリル）１．２質量部を入れて混合し、十分に窒素ガス置換を行い、混合溶液を得た。
【０１５１】
窒素雰囲気下、反応容器内の混合溶液を攪拌しながら７５℃まで昇温し、滴下ロート中の混合溶液を３時間かけて徐々に反応容器内に滴下した。滴下終了後、その混合溶液の液温を７５℃で２時間維持した後、２，２’−アゾビス（２，４−ジメチルバレロニトリル）０．３質量部をメチルエチルケトン５質量部に溶解した溶液を該混合溶液に加え、更に７５℃で２時間、８５℃で２時間熟成させ、ポリマー溶液を得た。
【０１５２】
得られたポリマー溶液の一部を、減圧下、１０５℃で２時間乾燥させ、溶媒を除去することによって単離した。標準物質としてポリスチレン、溶媒として６０ｍｍｏｌ／Ｌのリン酸及び５０ｍｍｏｌ／Ｌのリチウムブロマイド含有ジメチルホルムアミドを用いたゲルパーミエーションクロマトグラフィーにより重量平均分子量を測定した。
【０１５３】
なお、表１に示す各化合物の詳細は、以下のとおりである。
＊エトキシポリエチレングリコールモノメタクリレート：一般式（XXIII）において、ｎが９、Ｒ１がメチル基、Ｒ2がエチレン基、Ｒ3がエチル基であるモノマー
【化３７】
2019108518.tif 000044
＊オクトキシポリエチレングリコール・ポリプロピレングリコールモノメタクリレート：上記一般式（XXIII）において、ｎが６（ポリエチレングリコールの平均付加モル数が４、ポリプロピレングリコールの平均付加モル数が２）、Ｒ１がメチル基、Ｒ2がエチレン基及びプロピレン基、Ｒ3がオクチル基であり、オキシエチレン基とオキシエチレンプロピレン基とがランダム付加したモノマー
＊ポリエチレングリコールモノメタクリレート：上記一般式（XXIII）において、ｎが１５、Ｒ１がメチル基、Ｒ2がエチレン基、Ｒ3が水素原子であるモノマー
＊メタクリル酸：三菱瓦斯化学（株）製、商品名：ＧＥ−１１０(ＭＡＡ)
＊メタクリル酸２−エチルへキシル：三菱レイヨン（株）製、商品名：アクリエステルＥＨ
＊スチレンモノマー：新日鉄化学（株）製、商品名:スチレンモノマー
＊スチレンマクロマー：東亜合成（株）製、商品名:ＡＳ−６Ｓ(スチレンマクロマー)、数平均分子量６０００
【０１５４】
【表１】
2019108518.tif 000045
【０１５５】
＜調製例１〜４：水不溶性ビニルポリマーにより被覆された顔料分散体調製例＞
水不溶性ビニルポリマー製造例１〜３で得られたポリマーをメチルエチルケトンで５０％に調製した溶液７７部にメチルエチルケトン９０部、及び中和剤（５Ｎ水酸化ナトリウム水溶液）を所定量加えてメタクリル酸を中和（中和度９０％）した後、イオン交換水３７０部、更に色材として表２記載の顔料を９０部加え、ディスパー混合し、更に分散機（マイクロフルイダイザーＭ−１４０Ｋ、１５０ＭＰａ）で２０パス処理した。なお、カーボンブラックＮｉｐｅｘ１５０を用いたものは、分散機のパス処理を５パスにした。
【０１５６】
得られた水分散体に、イオン交換水１００部を加え、攪拌した後、減圧下、６０℃でメチルエチルケトンを除去し、更に一部の水を除去した後、５μｍのシリンジフィルター〔アセチルセルロース膜、外径：２．５ｃｍ、ザルトリウス社製〕を取り付けた容量２５ｍＬの針なしシリンジ〔テルモ株式会社製〕で濾過し、粗大粒子を除去し、水分散体を得た（固形分として２５質量％）。
【０１５７】
【表２】
2019108518.tif 000046
【０１５８】
次いで、インクに添加する定着を付与する樹脂エマルションの製造例を示す。
（樹脂エマルションの製造例１〜２）
＜樹脂エマルション１の製造＞
アクリル酸５．０質量部、サイラエース２１０（ビニルトリメトキシシラン、チッソ株式会社製）６質量部、メタクリル酸−２−エチルヘキシル６．０質量部、アクリル酸２−エチルヘキシル２２．０質量部、メタクリル酸シクロヘキシル５．０質量部、スチレン２２．０質量部、乳化剤としてアクアロンＫＨ−２０（第一工業製薬株式会社製の反応性乳化剤）１．５質量部、及びイオン交換水５３．１質量部の混合物をバッチ式ホモミキサーで乳化し、モノマープレエマルションを作製し、滴下槽に入れた。
なお、０．５μｍ以上の粒子数が５,０００個／ｃｍ3以上であると、測定精度が低下するので、０．５μｍ以上の粒子数が５,０００個／ｃｍ3程度になるように、モノマー濃度６０％程度のモノマープレエマルションを、蒸留水を用いて希釈し、モノマー濃度が０．００２質量％程度の希釈液について、米国ＰＡＲＴＩＣＬＥ  ＳＩＺＩＮＧ  ＳＹＳＴＥＭＳ社製Ａｃｃｕｓｉｚｅｒを用い、モノマープレエマルションの個数カウント法による体積平均粒子径を求めたところ、３．０μｍであった。
【０１５９】
還流冷却器、攪拌機、温度計、窒素導入管、及び原料投入口を具備する容積２Ｌの４つ口フラスコを反応容器とし、該反応容器にイオン交換水８９．４質量部を入れ、窒素を導入しつつ攪拌しながら、液温を６０℃に温めた。次いで、反応容器中に、アルキルフェノールエーテル系の反応性乳化剤としてアクアロンＫＨ−２０（第一工業製薬株式会社製）を０．５質量部添加し、同時に５質量％過硫酸アンモニウム（以後、「ＡＰＳ」と略す）水溶液６質量部（過硫酸アンモニウムとしては、０．３質量部）を添加した。
【０１６０】
反応容器に５質量％ＡＰＳ水溶液を添加してから１０分間後に、滴下槽から上記モノマープレエマルションは５時間かけて連続的に滴下し、別の滴下槽から５質量％ＡＰＳ水溶液６質量部（過硫酸アンモニウムとしては、０．３質量部）を５時間かけて断続的に滴下した。この間反応容器内は７０℃に保った。
滴下終了後、３時間、７０℃に保ち、熟成を行った。その後冷却を開始し、５０℃まで冷却し、アンモニア水を添加し、１８０メッシュのポリエステル製の濾布で濾過した。濾布に残った凝集物を１５０℃で２０分間乾燥し、モノマー、乳化剤及び重合開始剤の量を基準に凝集量（質量％）を求めたところ、０．１質量％であった。
濾過後の樹脂エマルションの一部を測り取り、１５０℃で２０分間乾燥し、固形分濃度を求めたところ、３９．４質量％であった。また、前記樹脂エマルションは、ｐＨ８、粘度５０ｍＰａ・ｓであった。
０．５μｍ以上の粒子数が５,０００個／ｃｍ3程度以下が装置上の測定限界なので、そのような範囲になるように、濾過後の樹脂エマルションを固形分濃度０．００２質量％に希釈し、マイクロトラックＵＰＡ（Ｌｅｅｄｓ  ＆  Ｎｏｒｔｈｒｕｐ社製）を用い、動的光散乱法による累積５０％粒子径（Ｄ50）を測定したところ、８０ｎｍであった。
別途、濾過後の樹脂エマルションを固形分濃度０．００２質量％に希釈し、該希釈液について、米国ＰＡＲＴＩＣＬＥ  ＳＩＺＩＮＧ  ＳＹＳＴＥＭＳ社製Ａｃｃｕｓｉｚｅｒを用い、個数カウント法による１．５μｍ以上の超粗大粒子数を測定した。固形分濃度０．１質量％に換算すると、樹脂エマルション中における１．５μｍ以上の超粗大粒子数は１．０×１０5個／ｃｍ3であった。
なお、ビニルトリメトキシシランを除くモノマーから求められるガラス転移温度（以下、「理論Ｔｇ」という）は３０℃であった。
【０１６１】
＜樹脂エマルション２の製造＞
樹脂エマルションの製造例１において、下記の組成に変更した以外は、製造例１と同様にして、樹脂エマルション２を作製した。
［組成］
・メタクリル酸：                              ３．０質量部
・アクリル酸ブチル：                        ２５．０質量部
・アクリルアミド：                            １．０質量部
・スチレン：                                ２９．０質量部
・サイラエース２１０：                        ６．０質量部
（ビニルトリメトキシシラン、チッソ株式会社製）
次に、得られた樹脂エマルション２について、動的光散乱法による累積５０％粒子径（Ｄ50）を測定したところ、８０ｎｍであった。また、ビニルトリメトキシシランを除くモノマーから求められる理論Ｔｇは４５℃であった。また、固形分濃度は、３９．５質量％であった。
【０１６２】
（実施例１）
＜インク組成物の調製＞
攪拌機を備えた容器に、構造式（Ｉ）で表される３−ｎ−ブトキシ−Ｎ，Ｎ−ジメチルプロパンアミド１５．００質量部、１，２−プロパンジオール２０．００質量部、一般式（II）で表されるポリエーテル変性シロキサン化合物０．５０質量部及び一般式（VI）で表される脂肪族アルコールアルキレンオキサイド化合物０．２５質量部、消泡剤（２，４，７，９−テトラメチルデカン−４，７−ジオール）０．４０質量部を入れ、３０分間撹拌して均一にした。
次に、防カビ剤（Ｐｒｏｘｅｌ  ＧＸＬ、アビシア社製）０．０５質量部、２−アミノ−２−エチル−１，３−プロパンジオール０．２０質量部、調製例１のブラック顔料分散体を３４．２９質量部、製造例１の樹脂エマルション１を１２．６６質量部、ワックス（ポリエチレンワックス  ＡＱＵＡＣＥＲ５３１）０．３０質量部及び純水を残量加え、全体を１００質量部として、６０分間撹拌してインクを均一にした。得られたインクを平均孔径１．２μｍのポリビニリデンフロライドメンブランフィルターにて加圧濾過し、粗大粒子及びごみを除去して、実施例１のインク組成物を作製した。
【０１６３】
（実施例２〜１６、比較例１〜１２）
実施例１と同様にして、下記表３−１〜表３―３に示した処方で、実施例２〜１６、比較例１〜１２の各インク組成物を作製した。
【０１６４】
【表３−１】
2019108518.tif 000047
【０１６５】
【表３−２】
2019108518.tif 000048
【０１６６】
【表３−３】
2019108518.tif 000049
【０１６７】
表３中の略号などは下記の意味を表す。
＊下記構造式（Ｉ）で表される有機溶剤（３−ｎ−ブトキシ−Ｎ,Ｎ−ジメチルプロパンアミド）
【化２２】
2019108518.tif 000050
＊下記構造式（IV）で表される有機溶剤（３−エチル−３−ヒドロキシルメチルオキセタン）
【化２５】
2019108518.tif 000051
＊界面活性剤  「シルフェイスＳＡＧ−００２」、「シルフェイスＳＡＧ−０１３」、「シルフェイスＳＡＧ−００３」、「シルフェイスＳＡＧ−５０３Ａ」は、ポリエーテル変性シロキサン化合物（日信化学工業株式会社製、有効成分１００質量％）
＊界面活性剤  「ＢＹＫ-３４８」は、ポリエーテル変性シロキサン化合物（ビックケミー・ジャパン株式会社製、有効成分１００質量％）
＊界面活性剤  「ＴＥＧＯ  Ｗｅｔ−２７０」は、ポリエーテル変性シロキサン化合物（エボニック社製、有効成分１００質量％）
＊界面活性剤  「Ｎｅｗｃｏｌ  ＮＴ−５」は、脂肪族アルコールアルキレンオキサイド化合物（日本乳化剤株式会社製、有効成分１００質量％）
＊界面活性剤  「ノイゲンＸＬ−４０」は、脂肪族アルコールアルキレンオキサイド化合物（第一工業製薬株式会社製、有効成分１００質量％）
＊界面活性剤  「ノイゲンＴＤＸ−５０」は、脂肪族アルコールアルキレンオキサイド化合物（日本乳化剤株式会社製、有効成分１００質量％）
＊界面活性剤  「ノイゲンＥＴ−６５」は、脂肪族アルコールアルキレンオキサイド化合物（日本乳化剤株式会社製、有効成分１００質量％）
＊界面活性剤  「サーフィノール１０４Ｅ」は、アセチレングリコール化合物（日信化学工業株式会社製、有効成分５０質量％）
＊Ｐｒｏｘｅｌ  ＧＸＬ：１，２−ｂｅｎｚｉｓｏｔｈｉａｚｏｌｉｎ−３−ｏｎｅを主成分とした防カビ剤（アビシア社製、成分２０質量％、ジプロピレングリコール含有）
＊ワックス「ＡＱＵＡＣＥＲ５３１」は、酸化ポリエチレンワックスエマルション（ビックケミー・ジャパン株式会社製、有効成分４５質量％）
＊ワックス「ＡＱＵＡＣＥＲ５１５」は、酸化ポリエチレンワックスエマルション（ビックケミー・ジャパン株式会社製、有効成分３５質量％）
【０１６８】
次に、実施例１〜１６及び比較例１〜１２の各インクのインク物性を以下のようにして測定した。結果を表４に示す。
【０１６９】
＜動的表面張力測定＞
本発明インクの動的表面張力は、最大泡圧法による表面寿命１５ｍｓｅｃ時の動的表面張力を、ＳＩＴＡ＿ＤｙｎｏＴｅｓｔｅｒ（ＳＩＴＡ社製）を用いて、２５℃で測定した。
【０１７０】
＜静的表面張力＞
インクの静的表面張力は、自動表面張力計（ＤＹ−３００、協和界面科学株式会社製）を用いて、２５℃で測定した。
【０１７１】
＜起泡性・消泡性＞
起泡性・消泡性試験は、プリンタ初期充填性及びメンテナンス性の代用試験として実施する。
１）起泡性
容量１００ｍｌのメスシリンダーに評価インクを１０ｍｌ入れ、このメスシリンダーを１０℃恒温水槽に３０分以上浸漬し、評価インクの液温を安定化させた。次いで、メスシリンダーに内径１ｍｍの空気注入管を取り付け、空気注入管の先端をインク底面から５ｍｍの高さに合わせて取り付ける。さらに、加圧装置の空気圧を２０ｇｆ／ｃｍ2に設定し、加圧装置の弁を開くと同時にストップウォッチで時間の計測を始め３０秒後のメスシリンダーのメモリ泡高さを測定し、下記評価基準に基づいて評価した。なお、Ｂ以上が実用上問題のない範囲である。
［例：目盛り１００ｍｌの場合⇒１００−１０（サンプル量）＝泡高さ９０ｍｌと記す］
＊３０秒以内に目盛り１００ｍｌに達した場合は、起泡性試験を中止する。
〔評価基準〕
Ａ：泡高さ５０ｍｌ未満
Ｂ：泡高さ５０ｍｌ〜９０ｍｌの範囲
Ｃ：３０秒以内に目盛り１００ｍｌに達した場合
【０１７２】
２）消泡性
前記起泡性試験において空気を３０秒間吹き込んだ後にすみやかに加圧装置の弁を閉じ、自然に泡が消えるのを観察し、３００秒後の泡高さを測定した。なお、Ｂ以上が実用上問題のない範囲である。
〔評価基準〕
Ａ：空気吹き込み停止直後泡高さ５０ｍｌ未満
Ｂ：３００秒後の泡高さ５０ｍｌ未満
Ｃ：３００秒後の泡高さ５０ｍｌ以上
【０１７３】
−画像形成−
２３℃±０．５℃、５０±５％ＲＨに調整した環境条件下、画像形成装置（ＩＰＳｉＯ  ＧＸｅ−５５００、株式会社リコー製）を用い、インクの吐出量が均しくなるようにピエゾ素子の駆動電圧を変動させ、記録用メディアとして王子製紙株式会社製ＯＫトップコート＋（坪量１０４．７ｇ／ｍ2）に同じ付着量のインクが付着するように設定した。
【０１７４】
次に、実施例１〜１６及び比較例１〜１２について、以下に示すようにして、諸特性を評価した。結果を表４に示す。
【０１７５】
＜ビーディング＞
王子製紙株式会社製ＯＫトップコート＋（坪量１０４．７ｇ／ｍ2）に、印字モードをプリンタ添付のドライバで「光沢紙−きれい」モードを「色補正なし」と改変したモードを使用し、ベタ画像（Ｍｉｃｒｏｓｏｆｔ社製  Ｗｏｒｄ２０００にて作成した６４ｐｏｉｎｔ文字「黒四角」の記載のあるチャート）を印字し、ベタ画像の濃度ムラ（ビーディング）を目視観察し、下記評価基準により判定した。
なお、「黒四角」とは、四角を黒く塗り潰した文字（符号）であるが、使用できないため止むを得ず「黒四角」と表現したものである。なお、Ｂ以上が実用上問題のない範囲である。
〔評価基準〕
Ａ：全くなし
Ｂ：僅かにあり
Ｃ：かなりあり
Ｄ：激しくあり
＊黒色ベタ画像は目視では非常に見難いので、光学顕微鏡で４０倍に拡大して観察した。
【０１７６】
＜吐出安定性−１：間欠吐出評価−１＞
Ｍｉｃｒｏｓｏｆｔ  Ｗｏｒｄ２０００にて作成した一色当りＡ４サイズ用紙の面積５％をベタ画像にて塗りつぶすチャートを連続２００枚、ＭｙＰａｐｅｒ（株式会社リコー製）に打ち出し、打ち出し後の各ノズルの吐出乱れから、下記基準で評価した。なお、印字モードはプリンタ添付のドライバで普通紙のユーザー設定より「普通紙−標準はやい」モードを「色補正なし」と改変したモードを使用した。なお、Ｂ以上が実用上問題のない範囲である。
〔評価基準〕
Ａ：吐出乱れなし
Ｂ：若干吐出乱れあり
Ｃ：吐出乱れあり、又は吐出しない部分あり
【０１７７】
＜吐出安定性−２：間欠吐出評価−２＞
Ｍｉｃｒｏｓｏｆｔ  Ｗｏｒｄ２０００にて作成した一色当りＡ４サイズ用紙の面積６０％をハーフトーン画像にて塗りつぶすチャートを連続２００枚、ＭｙＰａｐｅｒ（株式会社リコー製）に打ち出し、打ち出し後の各ノズルの吐出乱れから、下記基準で評価した。なお、印字モードはプリンタ添付のドライバで普通紙のユーザー設定より「普通紙−標準はやい」モードを「色補正なし」と改変したモードを使用した。なお、Ｂ以上が実用上問題のない範囲である。
〔評価基準〕
Ａ：吐出乱れなし
Ｂ：若干吐出乱れあり
Ｃ：吐出乱れあり、又は吐出しない部分あり
Ｄ：吐出しない部分が多数
【０１７８】
＜初期充填性＞
インクが充填されていないインクジェットプリンタ（ＩＰＳｉＯ  ＧＸｅ-５５００、株式会社リコー製）に、前記インクを充填した直後に、印刷設定メンテナンスでノズルチェックパターンを印刷出力し、ノズル抜けを確認し、下記評価基準に基づいて評価した。なお、Ｂ以上が実用上問題のない範囲である。
〔評価基準〕
Ａ：ノズル抜けなし
Ｂ：ノズル抜け１０本未満
Ｃ：ノズル抜け１０本以上３０本未満
Ｄ：ノズル抜け３０本以上
【０１７９】
【表４】
2019108518.tif 000052
【符号の説明】
【０１８０】
１０１  装置本体
１０２  給紙トレイ
１０３  排紙トレイ
１０４  インクカートリッジ装填部
１０５  装置部
１１１  上カバー
１１２  前カバー
１１５  インクカートリッジ装填部前カバー
１３１  ガイドロッド
１３２  ステー
１３３  キャリッジ
１３４  記録ヘッド
１３５  サブタンク
１４１  用紙積載部（圧板）
１４２  用紙  
１４３  半月コロ（給紙コロ）
１４４  分離パッド
１４５  ガイド
１５１  搬送ベルト
１５２  カウンタローラ
１５３  搬送ガイド
１５４  押さえ部材
１５５  先端加圧コロ
１５６  帯電ローラ
１５７  搬送ローラ
１５８  テンションローラ
１６１  ガイド部材
１７１  分離爪
１７２  排紙ローラ
１７３  排紙コロ
１８１  両面給紙ユニット
１８２  手差し給紙部
２００  インクカートリッジ
２４１  インク袋
２４２  インク注入口
２４３  インク排出口
２４４  カートリッジケース
【先行技術文献】
【特許文献】
【０１８１】
【特許文献１】特開２０１２−２０７２０２号公報
【特許文献２】特開２０１４−９４９９８号公報
【特許文献３】特開２００５−９７５９７号公報
【図１】
2019108518.tif 000060
【図２】
2019108518.tif 000061
【図３】
2019108518.tif 000062
【図４】
2019108518.tif 000063
【図５】
2019108518.tif 000064